(57)【要約】【課題】光ファイバフェルールを容易に固定することができ、光ファイバフェルールの固定を容易に解除することができる光ファイバフェルール研磨用治具を提供する。【解決手段】光ファイバフェルール研磨用治具１０Ａは、複数の光ファイバフェルール５１を挿抜可能に挿入する複数の挿入孔２０を有する台座１２ａと、台座１２ａの挿入孔２０に隣接し、下端部３６を中心として旋回可能な複数の旋回ロッド１３と、台座１２ａに形成された複数の設置凹部１９ａに設置され、それらロッド１３の旋回にともなって移動して光ファイバフェルール５１を挿入孔２０に固定するための複数の固定駒１４ａと、それら設置凹部１９ａに設置されて挿入孔２０に対する光ファイバフェルール５１の固定を解除するようにそれら固定駒１４ａを付勢するための複数のコイルバネ１５ａとを有する。【選択図】図５
2017170605.tif 000002
【特許請求の範囲】
【請求項１】
複数の光ファイバフェルールの研磨に使用される光ファイバフェルール研磨用治具において、
前記光ファイバフェルール研磨用治具が、所定面積の台座と、前記台座に形成されて前記複数の光ファイバフェルールを挿抜可能に挿入する複数の挿入孔と、上下端部および中間部を有して前記台座のそれぞれの挿入孔に隣接し、前記下端部を中心として旋回可能な複数の旋回ロッドと、前記台座のそれぞれの挿入孔とそれぞれの旋回ロッドとの間に形成された複数の設置部と、前記台座のそれぞれの設置部に設置され、それら旋回ロッドの旋回にともなって移動して前記光ファイバフェルールを前記挿入孔に固定するための複数の固定駒と、前記台座のそれぞれの設置部に設置され、前記挿入孔に対する前記光ファイバフェルールの固定を解除するようにそれら固定駒を付勢するための複数の付勢手段とを有することを特徴とする光ファイバフェルール研磨用治具。
【請求項２】
請求項１に記載の光ファイバフェルール研磨用治具において、
前記光ファイバフェルール研磨用治具が、前記台座の上方に位置して平凸状に成形された所定厚さの隆起部を有し、前記隆起部が、前記旋回ロッドの中間部を支持して該旋回ロッドを起立状態に支持する起立支持部分と、前記起立支持部分につながる旋回開口と、前記旋回開口につながって前記旋回ロッドを傾斜状態に支持する傾斜支持部分とを有することを特徴とする光ファイバフェルール研磨用治具。
【請求項３】
請求項２に記載の光ファイバフェルール研磨用治具において、
前記光ファイバフェルール研磨用治具が、前記旋回ロッドに挿通されて該旋回ロッドの軸方向へスライドするスライドロックと、前記隆起部の起立支持部分に形成されて前記旋回ロッドが起立したときに前記スライドロックの下端部が進入するロック孔とを有することを特徴とする光ファイバフェルール研磨用治具。
【請求項４】
請求項２または請求項３のいずれか１項に記載の光ファイバフェルール研磨用治具において、
前記隆起部が、前記旋回開口を囲繞する旋回部分を有することを特徴とする光ファイバフェルール研磨用治具。
【請求項５】
請求項３または請求項４のいずれか１項に記載の光ファイバフェルール研磨用治具において、
前記光ファイバフェルール研磨用治具が、前記旋回ロッドに挿通されて該旋回ロッドの上端部と前記スライドロックとの間に延びていて、該スライドロックを該旋回ロッドの下端に向かって付勢するコイルバネを有することを特徴とする光ファイバフェルール研磨用治具。
【請求項６】
請求項１ないし請求項５いずれか１項に記載の光ファイバフェルール研磨用治具において、
前記設置部が、前記台座の上面から下方へ凹む設置凹部であり、前記固定駒が、前記台座の挿入孔に対向する前部と、前記旋回ロッドの下端に対向する頂部と、前記台座の設置凹部に当接する底部と、前記底部から後方へ延びていて前記台座の設置凹部に形成された軸孔に配置された移動軸とを有し、前記旋回ロッドが、その下端に形成されて前記固定駒に向かって凸となり、前記固定駒の頂部を押圧する押圧凸部を有することを特徴とする光ファイバフェルール研磨用治具。
【請求項７】
請求項６に記載の光ファイバフェルール研磨用治具において、
前記固定駒の頂部が、前記前部から後方へ向かうにつれて下り勾配に傾斜する傾斜面を有することを特徴とする光ファイバフェルール研磨用治具。
【請求項８】
請求項６または請求項７のいずれか１項に記載の光ファイバフェルール研磨用治具において、
前記固定駒の前部が、後方へ凹む嵌入部分を有することを特徴とする光ファイバフェルール研磨用治具。
【請求項９】
請求項６ないし請求項８のいずれか１項に記載の光ファイバフェルール研磨用治具において、
前記付勢手段が、上下方向へ延びるコイルバネであり、前記コイルバネが、前記固定駒の底部に形成されて上下方向へ延びるバネ設置孔に収容されていることを特徴とする光ファイバフェルール研磨用治具。
【請求項１０】
請求項６ないし請求項９いずれか１項に記載の光ファイバフェルール研磨用治具において、
前記隆起部が、環状に延びていて円環を形成し、前記台座の複数の挿入孔と該台座の複数の設置凹部と複数の前記旋回ロッドと複数の前記固定駒とが、前記隆起部に沿って環状に並んでいることを特徴とする光ファイバフェルール研磨用治具。
【請求項１１】
請求項１ないし請求項５いずれか１項に記載の光ファイバフェルール研磨用治具において、
前記設置部が、前記台座の上下面を貫通する設置孔部であり、前記固定駒が、前記台座の挿入孔に対向する前部と、前記旋回ロッドの下端に対向する頂部と、前記台座の設置孔部の下方に位置する底部と、前記台座の設置孔部の両側面に対向する両側部と、前記両側部から横方向へ延びていて前記台座の設置孔部に形成された軸孔に配置された回転軸とを有し、前記旋回ロッドが、その下端に形成されて前記固定駒に向かって凸となり、前記固定駒の頂部を押圧する押圧凸部を有することを特徴とする光ファイバフェルール研磨用治具。
【請求項１２】
請求項１１に記載の光ファイバフェルール研磨用治具において、
前記付勢手段が、前記固定駒を上方へ付勢する板バネであり、前記板バネが、前記台座の上面および前記隆起部の下面の間に位置するベース部と、前記ベース部につながって互いに隣接する前記設置孔部の間に延びる前記台座の上面に位置するバネ部とを有し、前記固定駒の前部が、後方へ凹む嵌入部分と、前記嵌入部分につながって前記底部に向かって湾曲する湾曲面または該嵌入部分につながって該底部に向かうにつれて下り勾配に傾斜する傾斜面とを有し、前記固定駒の頂部が、前記前部から後方へ向かうにつれて下り勾配に傾斜する傾斜面を有し、前記固定駒の両側部が、互いに隣接する前記設置孔部の間に延びる前記台座の上面であって前記板バネのバネ部に当接する当接部分を有することを特徴とする光ファイバフェルール研磨用治具。
【請求項１３】
請求項１２に記載の光ファイバフェルール研磨用治具において、
前記隆起部が、環状に延びていて円環を形成し、前記台座の複数の挿入孔と該台座の複数の設置孔部と複数の前記旋回ロッドと複数の前記固定駒とが、前記隆起部に沿って環状に並び、前記板バネのベース部が、前記隆起部に沿って環状に延びていて円環を形成し、前記板バネのバネ部が、前記隆起部に沿って環状に並んでいることを特徴とする光ファイバフェルール研磨用治具。
【請求項１４】
複数の光ファイバフェルールの研磨に使用される光ファイバフェルール研磨用治具の台座に設置される載置部材において、
前記載置部材が、平凸状に成形された所定厚さの隆起部と、上下端部および中間部を有して該下端部を中心として前記隆起部に旋回可能に設置された複数の旋回ロッドとから形成されていることを特徴とする載置部材。
【請求項１５】
請求項１４に記載の載置部材において、
前記隆起部が、前記旋回ロッドの中間部を支持して該旋回ロッドを起立状態に支持する起立支持部分と、前記起立支持部分につながる旋回開口と、前記旋回開口につながって前記旋回ロッドを傾斜状態に支持する傾斜支持部分とを有することを特徴とする載置部材。
【請求項１６】
請求項１５に記載の載置部材において、
前記載置部材が、前記旋回ロッドに挿通されて該旋回ロッドの軸方向へスライドするスライドロックと、前記隆起部の起立支持部分に形成されて前記旋回ロッドが起立したときに前記スライドロックの下端部が進入するロック孔とを有することを特徴とする載置部材。
【請求項１７】
請求項１５または請求項１６のいずれか１項に記載の載置部材において、
前記隆起部が、前記旋回開口を囲繞する旋回部分を有することを特徴とする載置部材。
【請求項１８】
請求項１６または請求項１７のいずれか１項に記載の載置部材において、
前記載置部材が、前記旋回ロッドに挿通されて該旋回ロッドの上端部と前記スライドロックとの間に延びていて、該スライドロックを該旋回ロッドの下端に向かって付勢するコイルバネを有することを特徴とする載置部材。
【請求項１９】
請求項１４ないし請求項１８いずれか１項に記載の載置部材において、
載置部材では、前記隆起部が環状に延びていて円環を形成し、前記旋回ロッドが前記隆起部において環状に並んでいることを特徴とする載置部材。
【発明の詳細な説明】
【技術分野】
【０００１】
本発明は、光ファイバフェルールの研磨に使用される光ファイバフェルール研磨用治具に関するとともに、複数の光ファイバフェルールの研磨に使用される光ファイバフェルール研磨用治具の台座に設置される載置部材に関する。
【背景技術】
【０００２】
各光ファイバフェルールが挿入される多数の挿入孔を有する研磨治具本体と、挿入孔から所定の距離に壁面を有して挿入孔の一側に連なる座部と、挿入孔の座部に対向する側に位置して挿入孔から立ち上がる支持壁とを有し、座部が連なる挿入孔の支持壁との間隔を調整する方向へスライド可能であり、支持壁に向いた前方に保持部を有するとともに、後方に座部の壁面と平行で壁面に向けて下り勾配の傾斜面を有する保持部材が配置され、座部に配置された保持部材の傾斜面上に配置したロッド部材を下方へ押圧するボルトおよびワッシャが座部の壁面外方における研磨治具本体に設けられ、ボルトを下方へねじ込むことでワッシャがロッド部材を下方へ押圧して座部の壁面に沿って下降し、それによって保持部材が前方へ押し出されて保持部と支持壁とで各光ファイバフェルールを保持する光ファイバフェルール研磨用治具が開示されている（特許文献１参照）。
【０００３】
この光ファイバフェルール研磨用治具は、コイルバネの付勢力によって保持部材が支持壁から離間する方向に付勢されており、ボルトを緩めた場合、保持部が挿入孔から退避する。その状態で挿入孔に光ファイバフェルールを挿入し、ボルトをねじ込むと、ワッシャがロッド部材を下方へ押圧し、それによってロッド部材が座部の壁面に沿って下降する。ロッド部材の下降にともなって下方への押圧力が保持部材の傾斜面に作用し、保持部材が前方へ押し出され、保持部材の保持部が光ファイバフェルールの側面を押圧することで、光ファイバフェルールが保持部と支持壁とに挟持された状態で挿入孔に固定される。光ファイバフェルールが挿入孔に固定された状態からボルトを緩めると、コイルバネの付勢力によって保持部材が後方へ移動し、保持部材の保持部による光ファイバフェルールの側面への押圧力が解除され、挿入孔に対する光ファイバフェルールの固定が解除される。
【先行技術文献】
【特許文献】
【０００４】
【特許文献１】特開２００４−１８１６０８号公報
【発明の概要】
【発明が解決しようとする課題】
【０００５】
前記特許文献１に開示の光ファイバフェルール研磨用治具は、各光ファイバフェルールを各挿入孔に固定する場合、レンチやドライバー等の締め付け工具によってボルトをねじ込まなければならず、挿入孔に対する光ファイバフェルールの固定に手間と時間とを要するとともに、各挿入孔に対する各光ファイバフェルールの固定を解除する場合、ねじ込まれたボルトを締め付け工具によって緩めなければならず、挿入孔に対する光ファイバフェルールの固定解除に手間と時間とを要する。また、締め付け工具を利用して手動によってボルトをねじ込む場合、ねじ込みトルクが一定ではなく、一方の保持部材の保持部による光ファイバフェルールの側面への押圧力と他方の保持部材の保持部による光ファイバフェルールの側面への押圧力とが異なる場合があり、各挿入孔における各光ファイバフェルールの固定条件が異なる場合がある。各挿入孔における各光ファイバフェルールの固定条件が異なると、研磨機による光ファイバフェルールの研磨時に各光ファイバフェルールに均等に研磨加工を施すことができない場合がある。
【０００６】
本発明の目的は、光ファイバフェルールの固定および固定解除に手間と時間とを要せず、光ファイバフェルールを容易に固定することができ、光ファイバフェルールの固定を容易に解除することができる光ファイバフェルール研磨用治具を提供することにある。本発明の他の目的は、固定条件を同一にすることができ、各光ファイバフェルールに均等に研磨加工を施すことができる光ファイバフェルール研磨用治具を提供することにある。本発明の他の目的は、手間と時間とを要せずに簡単に光ファイバフェルールの固定および固定解除を実現することができる載置部材を提供することにある。
【課題を解決するための手段】
【０００７】
前記課題を解決するための本発明の第１の前提は、複数の光ファイバフェルールの研磨に使用される光ファイバフェルール研磨用治具である。
【０００８】
前記第１の前提における本発明の光ファイバフェルール研磨用治具の特徴は、光ファイバフェルール研磨用治具が、所定面積の台座と、台座に形成されて複数の光ファイバフェルールを挿抜可能に挿入する複数の挿入孔と、上下端部および中間部を有して台座のそれぞれの挿入孔に隣接し、下端部を中心として旋回可能な複数の旋回ロッドと、台座のそれぞれの挿入孔とそれぞれの旋回ロッドとの間に形成された複数の設置部と、台座のそれぞれの設置部に設置され、それら旋回ロッドの旋回にともなって移動して光ファイバフェルールを挿入孔に固定するための複数の固定駒と、台座のそれぞれの設置部に設置され、挿入孔に対する光ファイバフェルールの固定を解除するようにそれら固定駒を付勢するための複数の付勢手段とを有することにある。
【０００９】
本発明の光ファイバフェルール研磨用治具の一例としては、光ファイバフェルール研磨用治具が、台座の上方に位置して平凸状に成形された所定厚さの隆起部を有し、隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有する。
【００１０】
本発明の光ファイバフェルール研磨用治具の他の一例としては、光ファイバフェルール研磨用治具が、旋回ロッドに挿通されて旋回ロッドの軸方向へスライドするスライドロックと、隆起部の起立支持部分に形成されて旋回ロッドが起立したときにスライドロックの下端部が進入するロック孔とを有する。
【００１１】
本発明の光ファイバフェルール研磨用治具の他の一例としては、隆起部が、旋回開口を囲繞する旋回部分を有する。
【００１２】
本発明の光ファイバフェルール研磨用治具の他の一例としては、光ファイバフェルール研磨用治具が、旋回ロッドに挿通されて旋回ロッドの上端部とスライドロックとの間に延びていて、スライドロックを旋回ロッドの下端に向かって付勢するコイルバネを有する。
【００１３】
本発明の光ファイバフェルール研磨用治具の他の一例としては、設置部が、台座の上面から下方へ凹む設置凹部であり、固定駒が、台座の挿入孔に対向する前部と、旋回ロッドの下端に対向する頂部と、台座の設置凹部に当接する底部と、底部から後方へ延びていて台座の設置凹部に形成された軸孔に配置された移動軸とを有し、旋回ロッドが、その下端に形成されて固定駒に向かって凸となり、固定駒の頂部を押圧する押圧凸部を有する。
【００１４】
本発明の光ファイバフェルール研磨用治具の他の一例としては、固定駒の頂部が、前部から後方へ向かうにつれて下り勾配に傾斜する傾斜面を有する。
【００１５】
本発明の光ファイバフェルール研磨用治具の他の一例としては、固定駒の前部が、後方へ凹む嵌入部分を有する。
【００１６】
本発明の光ファイバフェルール研磨用治具の他の一例としては、付勢手段が、上下方向へ延びるコイルバネであり、コイルバネが、固定駒の底部に形成されて上下方向へ延びるバネ設置孔に収容されている。
【００１７】
本発明の光ファイバフェルール研磨用治具の他の一例としては、隆起部が、環状に延びていて円環を形成し、台座の複数の挿入孔と台座の複数の設置凹部と複数の旋回ロッドと複数の固定駒とが、隆起部に沿って環状に並んでいる。
【００１８】
本発明の光ファイバフェルール研磨用治具の他の一例としては、設置部が、台座の上下面を貫通する設置孔部であり、固定駒が、台座の挿入孔に対向する前部と、旋回ロッドの下端に対向する頂部と、台座の設置孔部の下方に位置する底部と、台座の設置孔部の両側面に対向する両側部と、両側部から横方向へ延びていて台座の設置孔部に形成された軸孔に配置された回転軸とを有し、旋回ロッドが、その下端に形成されて固定駒に向かって凸となり、固定駒の頂部を押圧する押圧凸部を有する。
【００１９】
本発明の光ファイバフェルール研磨用治具の他の一例としては、付勢手段が、固定駒を上方へ付勢する板バネであり、板バネが、台座の上面および隆起部の下面の間に位置するベース部と、ベース部につながって互いに隣接する設置孔部の間に延びる台座の上面に位置するバネ部とを有し、固定駒の前部が、後方へ凹む嵌入部分と、嵌入部分につながって底部に向かって湾曲する湾曲面または嵌入部分につながって底部に向かうにつれて下り勾配に傾斜する傾斜面とを有し、固定駒の頂部が、前部から後方へ向かうにつれて下り勾配に傾斜する傾斜面を有し、固定駒の両側部が、互いに隣接する設置孔部の間に延びる台座の上面であって板バネのバネ部に当接する当接部分を有する。
【００２０】
本発明の光ファイバフェルール研磨用治具の他の一例としては、隆起部が、環状に延びていて円環を形成し、台座の複数の挿入孔と台座の複数の設置孔部と複数の旋回ロッドと複数の固定駒とが、隆起部に沿って環状に並び、板バネのベース部が、隆起部に沿って環状に延びていて円環を形成し、板バネのバネ部が隆起部に沿って環状に並んでいる。
【００２１】
前記課題を解決するための本発明の第２の前提は、複数の光ファイバフェルールの研磨に使用される光ファイバフェルール研磨用治具の台座に設置される載置部材である。
【００２２】
前記第２の前提における本発明の載置部材の特徴は、載置部材が、平凸状に成形された所定厚さの隆起部と、上下端部および中間部を有して下端部を中心として隆起部に旋回可能に設置された複数の旋回ロッドとから形成されていることにある。
【００２３】
本発明の載置部材の一例としては、隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有する。
【００２４】
本発明の載置部材の他の一例としては、載置部材が、旋回ロッドに挿通されて旋回ロッドの軸方向へスライドするスライドロックと、隆起部の起立支持部分に形成されて旋回ロッドが起立したときにスライドロックの下端部が進入するロック孔とを有する。
【００２５】
本発明の載置部材の他の一例としては、隆起部が、旋回開口を囲繞する旋回部分を有する。
【００２６】
本発明の載置部材の他の一例としては、載置部材が、旋回ロッドに挿通されて旋回ロッドの上端部とスライドロックとの間に延びていて、スライドロックを旋回ロッドの下端に向かって付勢するコイルバネを有する。
【００２７】
本発明の載置部材の他の一例として、載置部材では、隆起部が環状に延びていて円環を形成し、旋回ロッドが隆起部において環状に並んでいる。
【発明の効果】
【００２８】
本発明にかかる光ファイバフェルール研磨用治具によれば、旋回ロッドの旋回にともなって移動した固定駒が光ファイバフェルールを挿入孔に固定するから、旋回ロッドを旋回させる操作のみによって光ファイバフェルールを挿入孔に固定することができ、レンチやドライバー等の締め付け工具によってボルトをねじ込む従来技術と比較し、挿入孔に対する光ファイバフェルールの固定に手間と時間とを要せず、光ファイバフェルールを挿入孔に簡単かつ容易に固定することができる。光ファイバフェルール研磨用治具は、旋回ロッドの旋回させることで、付勢手段の付勢力によって固定駒が光ファイバフェルールの固定を解除するように移動し、固定駒による光ファイバフェルールの固定が解除されるから、旋回ロッドを旋回させる操作のみによって固定駒による光ファイバフェルールの挿入孔における固定を解除することができ、レンチやドライバー等の締め付け工具によってボルトを緩める従来技術と比較し、挿入孔に対する光ファイバフェルールの固定解除に手間と時間とを要せず、光ファイバフェルールの固定を簡単かつ容易に解除することができる。光ファイバフェルール研磨用治具は、付勢手段の付勢力によって固定駒の移動状態が維持されるとともに、挿入孔の開放状態が維持されるから、それら挿入孔に各光ファイバフェルールを円滑に挿入することができ、それら挿入孔から各光ファイバフェルールを円滑に引き抜くことができる。光ファイバフェルール研磨用治具は、それら固定駒によってそれら光ファイバフェルールが各挿入孔に固定され、各光ファイバフェルールの各挿入孔に対する固定条件を同一にすることができ、各光ファイバフェルールに均等に研磨加工を施すことができる。
【００２９】
台座の上方に位置して平凸状に成形された所定厚さの隆起部を有し、隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有する光ファイバフェルール研磨用治具は、台座の隆起部の起立支持部分によって旋回ロッドが起立状態に支持されるから、旋回ロッドの起立状態において光ファイバフェルールが挿入孔に固定される場合、固定駒による光ファイバフェルールの挿入孔における固定を維持することができる。光ファイバフェルール研磨用治具は、台座の隆起部の傾斜支持部分によって旋回ロッドが傾斜状態に支持されるから、旋回ロッドの傾斜状態において光ファイバフェルールの挿入孔における固定が解除される場合、挿入孔における固定駒の固定解除状態および挿入孔の開放状態が維持され、挿入孔に光ファイバフェルールを円滑に挿入することができ、挿入孔から各光ファイバフェルールを円滑に引き抜くことができる。
【００３０】
旋回ロッドに挿通されて旋回ロッドの軸方向へスライドするスライドロックと、隆起部の起立支持部分に形成されて旋回ロッドが起立したときにスライドロックの下端部が進入するロック孔とを有する光ファイバフェルール研磨用治具は、スライドロックによって旋回ロッドの起立状態が維持されるから、旋回ロッドが起立状態から傾斜状態に旋回することはなく、旋回ロッドの起立状態において光ファイバフェルールが挿入孔に固定される場合、挿入孔に対する光ファイバフェルールの固定が不用意に解除されることはなく、固定駒による光ファイバフェルールの挿入孔における固定を確実に維持することができる。
【００３１】
隆起部が旋回開口を囲繞する旋回部分を有する光ファイバフェルール研磨用治具は、スライドロックの下端部が旋回部分に乗り上げた状態で旋回ロッドが旋回することで、旋回ロッドを旋回部分に沿って正確に旋回させることができ、光ファイバフェルールを挿入孔に円滑に固定することができるとともに、挿入孔に対する光ファイバフェルールの固定を円滑に解除することができる。
【００３２】
旋回ロッドに挿通されて旋回ロッドの上端部とスライドロックとの間に延びていて、スライドロックを旋回ロッドの下端に向かって付勢するコイルバネを有する光ファイバフェルール研磨用治具は、コイルバネの付勢力によってスライドロックの下端部のロック孔に対する進入状態が維持されるとともに、スライドロックによって旋回ロッドの起立状態が維持されるから、旋回ロッドが起立状態から傾斜状態に旋回することはなく、旋回ロッドの起立状態において光ファイバフェルールが挿入孔に固定される場合、挿入孔に対する光ファイバフェルールの固定が不用意に解除されることはなく、固定駒による光ファイバフェルールの挿入孔における固定を確実に維持することができる。
【００３３】
設置部が台座の上面から下方へ凹む設置凹部であり、固定駒が、台座の挿入孔に対向する前部と、旋回ロッドの下端に対向する頂部と、台座の設置凹部に当接する底部と、底部から後方へ延びていて台座の設置凹部に形成された軸孔に配置された移動軸とを有し、旋回ロッドが、その下端に形成されて固定駒に向かって凸となり、固定駒の頂部を押圧する押圧凸部を有する光ファイバフェルール研磨用治具は、旋回ロッドの旋回時に、設置凹部に設置された固定駒の頂部に当接する旋回ロッドの押圧凸部が固定駒を押圧しつつ付勢手段の付勢力に抗して固定駒を移動させるから、旋回ロッドの旋回によって移動軸を中心に固定駒を確実に移動させることができ、固定駒を利用して光ファイバフェルールを挿入孔に確実に固定することができる。
【００３４】
固定駒の頂部が前部から後方へ向かうにつれて下り勾配に傾斜する傾斜面を有する光ファイバフェルール研磨用治具は、旋回ロッドの旋回時に、旋回ロッドの押圧凸部が設置凹部に設置された固定駒の傾斜面を摺動下に押圧することで、付勢手段の付勢力に抗して固定駒を移動させることができるから、旋回ロッドの押圧凸部によって移動軸を中心に固定駒を確実に移動させることができ、固定駒を利用して光ファイバフェルールを挿入孔に確実に固定することができる。
【００３５】
固定駒の前部が後方へ凹む嵌入部分を有する光ファイバフェルール研磨用治具は、旋回ロッドが旋回したときに、光ファイバフェルールが固定駒の前部に形成された嵌入部分に嵌入することで、固定駒の嵌入部分によって光ファイバフェルールを挿入孔に遊動不能に固定することができる。光ファイバフェルール研磨用治具は、固定駒の嵌入部分によってそれら光ファイバフェルールがそれら挿入孔に遊動不能に固定されるから、各光ファイバフェルールの各挿入孔に対する固定条件を同一にすることができ、各光ファイバフェルールに均等に研磨加工を施すことができる。
【００３６】
付勢手段が上下方向へ延びるコイルバネであり、コイルバネが固定駒の底部に形成されて上下方向へ延びるバネ設置孔に収容されている光ファイバフェルール研磨用治具は、旋回ロッドの旋回させることで、コイルバネの付勢力によって固定駒が光ファイバフェルールの固定を解除するように移動するから、コイルバネによって移動軸を中心に固定駒を確実に移動させることができ、コイルバネを利用することで固定駒による光ファイバフェルールの挿入孔における固定を確実に解除することができる。光ファイバフェルール研磨用治具は、コイルバネの付勢力によって固定駒の移動状態が維持されるとともに、挿入孔の開放状態が維持されるから、それら挿入孔に各光ファイバフェルールを円滑に挿入することができ、それら挿入孔から各光ファイバフェルールを円滑に引き抜くことができる。
【００３７】
隆起部が環状に延びていて円環を形成し、台座の複数の挿入孔と台座の複数の設置凹部と複数の旋回ロッドと複数の固定駒とが隆起部に沿って環状に並んでいる光ファイバフェルール研磨用治具は、環状に並ぶそれら旋回ロッドの旋回にともなって移動した環状に並ぶそれら固定駒が各光ファイバフェルールを各挿入孔に固定するから、それら旋回ロッドを旋回させる操作のみによって各光ファイバフェルールを各挿入孔に固定することができ、環状に並ぶ各挿入孔に対するそれら光ファイバフェルールの固定に手間と時間とを要せず、それら光ファイバフェルールを各挿入孔に簡単かつ容易に固定することができる。光ファイバフェルール研磨用治具は、それら旋回ロッドを旋回させることで、付勢手段の付勢力によって環状に並ぶそれら固定駒が各光ファイバフェルールの固定を解除するように移動し、それら固定駒による各光ファイバフェルールの固定が解除されるから、それら旋回ロッドを旋回させる操作のみによってそれら固定駒による各光ファイバフェルールの挿入孔における固定を解除することができ、環状に並ぶ各挿入孔に対するそれら光ファイバフェルールの固定解除に手間と時間とを要せず、それら光ファイバフェルールの固定を簡単かつ容易に解除することができる。
【００３８】
設置部が台座の上下面を貫通する設置孔部であり、固定駒が、台座の挿入孔に対向する前部と、旋回ロッドの下端に対向する頂部と、台座の設置孔部の下方に位置する底部と、台座の設置孔部の両側面に対向する両側部と、両側部から横方向へ延びていて台座の設置孔部に形成された軸孔に配置された回転軸とを有し、旋回ロッドが、その下端に形成されて固定駒に向かって凸となり、固定駒の頂部を押圧する押圧凸部を有する光ファイバフェルール研磨用治具は、旋回ロッドの旋回時に、設置孔部に設置された固定駒の頂部に当接する旋回ロッドの押圧凸部が固定駒を押圧しつつ付勢手段の付勢力に抗して固定駒を移動させるから、旋回ロッドの旋回によって回転軸を中心に固定駒を確実に移動させることができ、固定駒を利用して光ファイバフェルールを挿入孔に確実に固定することができる。
【００３９】
付勢手段が固定駒を上方へ付勢する板バネであり、板バネが、台座の上面および隆起部の下面の間に位置するベース部と、ベース部につながって互いに隣接する設置孔部の間に延びる台座の上面に位置するバネ部とを有し、固定駒の前部が、後方へ凹む嵌入部分と、嵌入部分につながって底部に向かって湾曲する湾曲面または嵌入部分につながって底部に向かうにつれて下り勾配に傾斜する傾斜面とを有し、固定駒の頂部が、前部から後方へ向かうにつれて下り勾配に傾斜する傾斜面を有し、固定駒の両側部が、互いに隣接する設置孔部の間に延びる台座の上面であって板バネのバネ部に当接する当接部分を有する光ファイバフェルール研磨用治具は、旋回ロッドの旋回させることで、板バネのバネ部の付勢力によって固定駒が光ファイバフェルールの固定を解除するように旋回（移動）するから、コイルバネによって回転軸を中心に固定駒を確実に旋回（移動）させることができ、コイルバネを利用することで固定駒による光ファイバフェルールの挿入孔における固定を確実に解除することができる。光ファイバフェルール研磨用治具は、コイルバネの付勢力によって固定駒の旋回（移動）状態が維持されるとともに、挿入孔の開放状態が維持されるから、それら挿入孔に各光ファイバフェルールを円滑に挿入することができ、それら挿入孔から各光ファイバフェルールを円滑に引き抜くことができる。光ファイバフェルール研磨用治具は、固定駒の前部が後方へ凹む嵌入部分を有し、旋回ロッドが旋回したときに、光ファイバフェルールが固定駒の前部に形成された嵌入部分に嵌入することで、固定駒の嵌入部分によって光ファイバフェルールを挿入孔に遊動不能に固定することができる。光ファイバフェルール研磨用治具は、固定駒の嵌入部分によってそれら光ファイバフェルールがそれら挿入孔に遊動不能に固定されるから、各光ファイバフェルールの各挿入孔に対する固定条件を同一にすることができ、各光ファイバフェルールに均等に研磨加工を施すことができる。光ファイバフェルール研磨用治具は、固定駒の前部が嵌入部分につながって底部に向かって湾曲する湾曲面または嵌入部分につながって底部に向かうにつれて下り勾配に傾斜する傾斜面とを有し、固定駒の頂部が前部から後方へ向かうにつれて下り勾配に傾斜する傾斜面を有するから、旋回ロッドの旋回時に、旋回ロッドの押圧凸部が設置凹部に設置された固定駒の傾斜面を摺動下に押圧することで、付勢手段の付勢力に抗して固定駒を旋回（移動）させることができ、旋回ロッドの押圧凸部によって回転軸を中心に固定駒を確実に旋回（移動）させることができるとともに、固定駒を利用して光ファイバフェルールを挿入孔に確実に固定することができる。
【００４０】
隆起部が環状に延びていて円環を形成し、台座の複数の挿入孔と台座の複数の設置孔部と複数の旋回ロッドと複数の固定駒とが隆起部に沿って環状に並び、板バネのベース部が隆起部に沿って環状に延びていて円環を形成し、板バネのバネ部が隆起部に沿って環状に並んでいるフェルール研磨用治具は、環状に並ぶそれら旋回ロッドの旋回にともなって旋回した環状に並ぶそれら固定駒が各光ファイバフェルールを各挿入孔に固定するから、それら旋回ロッドを旋回させる操作のみによって各光ファイバフェルールを各挿入孔に固定することができ、環状に並ぶ各挿入孔に対するそれら光ファイバフェルールの固定に手間と時間とを要せず、それら光ファイバフェルールを各挿入孔に簡単かつ容易に固定することができる。光ファイバフェルール研磨用治具は、それら旋回ロッドを旋回させることで、板バネのバネ部の付勢力によって環状に並ぶそれら固定駒が各光ファイバフェルールの固定を解除するように移動し、それら固定駒による各光ファイバフェルールの固定が解除されるから、それら旋回ロッドを旋回させる操作のみによってそれら固定駒による各光ファイバフェルールの挿入孔における固定を解除することができ、環状に並ぶ各挿入孔に対するそれら光ファイバフェルールの固定解除に手間と時間とを要せず、それら光ファイバフェルールの固定を簡単かつ容易に解除することができる。光ファイバフェルール研磨用治具は、旋回ロッドの旋回させることで、板バネの環状に並ぶバネ部の付勢力によって環状に並ぶ固定駒が光ファイバフェルールの固定を解除するように移動するから、板バネのそれらバネ部によって回転軸を中心にそれら固定駒を確実に旋回（移動）させることができ、板バネのそれらバネ部を利用することでそれら固定駒による光ファイバフェルールの挿入孔における固定を確実に解除することができる。光ファイバフェルール研磨用治具は、板バネのそれらバネ部の付勢力によって固定駒の移動状態が維持されるとともに、環状に並ぶ挿入孔の開放状態が維持されるから、それら挿入孔に各光ファイバフェルールを円滑に挿入することができ、それら挿入孔から各光ファイバフェルールを円滑に引き抜くことができる。
【００４１】
本発明にかかる載置部材によれば、隆起部に旋回可能に設置されたそれら旋回ロッドを光ファイバフェルール研磨用治具の台座における光ファイバフェルールの固定に利用することで、旋回ロッドの隆起部における旋回のみによって光ファイバフェルールを台座に固定することができるとともに、旋回ロッドの隆起部における旋回のみによって光ファイバフェルールの台座における固定を解除することができ、手間と時間とを要せずに旋回ロッドの旋回操作のみによって光ファイバフェルールの台座における固定と固定解除とを実現することができる。
【００４２】
隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有する載置部材は、たとえば旋回ロッドの起立状態において光ファイバフェルールが光ファイバフェルール研磨用治具の台座に固定される場合、台座の隆起部の起立支持部分によって旋回ロッドが起立状態に支持されるから、光ファイバフェルールの台座における固定を維持することができる。載置部材は、たとえば旋回ロッドの傾斜状態において光ファイバフェルールの台座における固定が解除される場合、台座の隆起部の傾斜支持部分によって旋回ロッドが傾斜状態に支持されるから、光ファイバフェルールの台座における固定解除状態を維持することができる。
【００４３】
旋回ロッドに挿通されて旋回ロッドの軸方向へスライドするスライドロックと、隆起部の起立支持部分に形成されて旋回ロッドが起立したときにスライドロックの下端部が進入するロック孔とを有する載置部材は、たとえば旋回ロッドの起立状態において光ファイバフェルールが光ファイバフェルール研磨用治具の台座に固定される場合、スライドロックによって旋回ロッドの起立状態が維持されるから、光ファイバフェルールの台座における固定を維持することができる。
【００４４】
隆起部が旋回開口を囲繞する旋回部分を有する載置部材は、スライドロックの下端部が旋回部分に乗り上げた状態で旋回ロッドが旋回することで、旋回ロッドを旋回部分に沿って正確に旋回させることができ、光ファイバフェルールを台座に円滑に固定することができるとともに、台座に対する光ファイバフェルールの固定を円滑に解除することができる。
【００４５】
旋回ロッドに挿通されて旋回ロッドの上端部とスライドロックとの間に延びていて、スライドロックを旋回ロッドの下端に向かって付勢するコイルバネを有する載置部材は、たとえば旋回ロッドの起立状態において光ファイバフェルールが光ファイバフェルール研磨用治具の台座に固定される場合、コイルバネの付勢力によってスライドロックの下端部のロック孔に対する進入状態が維持されるとともに、スライドロックによって旋回ロッドの起立状態が維持されるから、光ファイバフェルールの台座における固定を確実に維持することができる。
【００４６】
隆起部が環状に延びていて円環を形成し、旋回ロッドが隆起部において環状に並んでいる載置部材は、隆起部において環状に並ぶそれら旋回ロッドを光ファイバフェルール研磨用治具の台座における光ファイバフェルールの固定に利用することで、環状に並ぶ旋回ロッドの隆起部における旋回のみによって複数の光ファイバフェルールを台座に固定することができるとともに、それら旋回ロッドの隆起部における旋回のみによって複数の光ファイバフェルールの台座における固定を解除することができ、手間と時間とを要せずにそれら旋回ロッドの旋回操作のみによって複数の光ファイバフェルールの台座における固定と固定解除とを実現することができる。
【図面の簡単な説明】
【００４７】
【図１】一例として示す光ファイバフェルール研磨用治具の上面図。
【図２】台座の隆起部を部分的に示す部分拡大斜視図。
【図３】一例として示す固定駒の斜視図。
【図４】旋回ロッドが傾斜状態に旋回したときの光ファイバフェルール研磨用治具の部分拡大正面図。
【図５】図４のＡ−Ａ線矢視断面図。
【図６】光ファイバフェルールを台座の挿入孔に挿入する以前の状態で示す図５と同一の断面図。
【図７】旋回ロッドを旋回途中の状態で示す図５と同一の断面図。
【図８】旋回ロッドが起立状態に旋回したときの光ファイバフェルール研磨用治具の部分拡大正面図。
【図９】図８のＢ−Ｂ線矢視断面図。
【図１０】他の一例として示す台座の上面図。
【図１１】他の一例として示す固定駒の斜視図。
【図１２】他の一例として示す光ファイバフェルール研磨用治具の図５と同様の断面図。
【図１３】光ファイバフェルールを台座の挿入孔に挿入する以前の状態で示す図１２と同一の断面図。
【図１４】旋回ロッドを旋回途中の状態で示す図７と同様の断面図。
【図１５】旋回ロッドが起立状態に旋回したときの図９と同様の断面図。
【発明を実施するための形態】
【００４８】
一例として示す光ファイバフェルール研磨用治具１０Ａの上面図である図１等の添付の図面を参照し、本発明にかかる光ファイバフェルール研磨用治具の詳細を説明すると、以下のとおりである。なお、図２は、隆起部１８を部分的に示す部分拡大斜視図であり、図３は、一例として示す固定駒１４ａの斜視図である。図４は、旋回ロッド１３が傾斜状態に旋回したときの光ファイバフェルール研磨用治具１０Ａの部分拡大正面図であり、図５は、図４のＡ−Ａ線矢視断面図である。図６は、光ファイバフェルール５１を台座１２ａの挿入孔２０に挿入する以前の状態で示す図５と同一の断面図である。図１および図４，５では、径方向内方（第１の方向）を矢印Ｌ１、径方向外方（第１の方向とは反対の第２の方向）を矢印Ｌ２、周り方向を矢印Ｍで示し、上下方向を矢印Ｎで示す。
【００４９】
光ファイバフェルール研磨用治具１０Ａは、フェルール研磨機（図示せず）に設置され、光ファイバフェルール研磨機によるそれら光ファイバフェルール１１の研磨に使用される。光ファイバフェルール研磨用治具１０Ａは、所定面積および所定の厚さを有する台座１２ａと、所定の厚さを有して台座１２ａの上方へ凸となる平凸状の隆起部１８と、台座１２ａに旋回可能に設置された複数の旋回ロッド１３と、台座１２ａに移動可能（旋回可能）に設置された複数の固定駒１４ａと、台座１２ａに設置されて上下方向へ延びる複数のコイルバネ１５ａ（付勢手段）と、それら旋回ロッド１３に挿通された複数のスライドロック１６と、それら旋回ロッド１３に挿通されてロッド１３の軸方向へ延びる複数のコイルバネ１７とから形成されている。
【００５０】
台座１２ａ（プレート）は、アルミや合金等の金属から作られ、四角形の平板状に成形されている。台座１２ａは、光ファイバフェルール研磨機に着脱可能に設置される。台座１２ａには、下方へ凹む複数の設置凹部１９ａ（設置部）と、台座１２ａの上下面を上下方向へ貫通する複数の挿入孔２０とが形成されている。
【００５１】
隆起部１８は、アルミや合金等の金属または合成樹脂から作られ、台座１２ａの上方に位置し、環状に延びていて円環（リング）を形成している。隆起部１８は、図２に示すように、環状に並ぶ上方開口２１および環状に並ぶ起立支持部分２２と、環状に並ぶ側方開口２３および環状に並ぶ傾斜支持部分２４と、環状に並ぶ旋回開口２５および環状に並ぶ旋回部分２６とを有する。隆起部１８の起立支持部分２２の下方には、一対の円筒状の軸孔２７が穿孔されている。軸孔２７には、旋回ロッド１３の後記する一対の軸３８が回転可能に設置される。
【００５２】
隆起部１８のそれら上方開口２１は、円形に成形され、隆起部１８の上方へ向かって開口している。上方開口２１には、起立した旋回ロッド１３が位置する。それら起立支持部分２２は、上方開口２１を囲繞し、旋回ロッド１３の後記する中間部３５を支持してロッド１３を起立状態に支持する。それら起立支持部分２２には、下方へ向かって凹むロック孔２８が形成されている。ロック孔２８は、その径が上方開口２１のそれよりもわずかに大きい。ロック孔２８には、旋回ロッド１３が起立したときにスライドロック１６の後記する下端部５０が進入する。
【００５３】
隆起部１８のそれら側方開口２３は、円形に成形され、隆起部１８の側方（径方向外方（第２の方向））へ向かって開口している。側方開口２３には、傾斜した旋回ロッド１３が位置する。それら傾斜支持部分２４は、側方開口２３を囲繞し、旋回ロッド１３を傾斜状態に支持する。それら旋回開口２５は、上方開口２１と側方開口２３とにつながり、上方開口２１から側方開口２３に向かって弧を画くように傾斜している。旋回開口２５では、旋回ロッド１３が径方向内方（第１の方向）と径方向外方（第２の方向）とへ旋回する。それら旋回部分２６は、旋回開口２５を囲繞し、起立支持部分２２と傾斜支持部分２４とにつながり、起立支持部分２２から傾斜支持部分２４に向かって弧を画くように傾斜している。
【００５４】
それら設置凹部１９ａ（それら設置部）は、台座１２ａの挿入孔２０と旋回ロッド１３との間に形成され、隆起部１８の起立支持部分２２の径方向内方（第１の方向）に隣接し、隆起部１８の直近に位置している。それら設置凹部１９ａは、隆起部１８に沿って環状に並んでいる。設置凹部１９ａは、旋回ロッド１３の略直下に位置して上下方向へ延びる後壁２９と、後壁２９の両側に位置して上下方向へ延びる両側壁３０（両側面）と、径方向へ延びる底壁３１とを有する。
【００５５】
設置凹部１９ａの後壁２９には、径方向内方（第１の方向）へ延びる軸係止凸部３２と、底壁２９と軸係止凸部３２との間において径方向外方（第２の方向）へ延びる軸孔３３とが形成されている。それら設置凹部１９ａには、固定駒１４ａが移動（旋回）可能に設置されている。
【００５６】
それら挿入孔２０は、設置凹部１９ａの径方向内方（第１の方向）に隣接し、設置凹部１９ａの直近に位置している。それら挿入孔２０は、隆起部１８に沿って環状に並んでいる。それら挿入孔２０には、光ファイバフェルール５１が挿抜可能に挿入される。なお、それら設置凹部１９ａが台座１２ａの挿入孔２０と旋回ロッド１３との間であって隆起部１８の起立支持部分２２の径方向外方（第２の方向）に隣接し、それら挿入孔２０が設置凹部１９ａの径方向外方（第２の方向）に隣接していてもよい。
【００５７】
それら旋回ロッド１３は、アルミや合金等の金属または合成樹脂から作られ、上下方向へ長い円柱状に成形されている。それら旋回ロッド１３は、隆起部１８に沿って環状に並んでいる。旋回ロッド１３は、上端部３４および下端部３６と、上下端部３４，３６の間に位置する中間部３５とを有する。それら旋回ロッド１３は、台座１２ａの設置凹部１９ａの径方向外方（第２の方向）に隣接し、設置凹部１９ａや挿入孔２０の直近に位置して隆起部１８の上方開口２１、旋回開口２５、側方開口２３に旋回可能に挿通されている。旋回ロッド１３の上端部３４には、ロッド１３を旋回させるときに摘持するつまみ３７が取り付けられている。
【００５８】
それら旋回ロッド１３の下端部３６には、周り方向（横方向）へ延びる一対の円柱状の軸３８が形成されている。それら旋回ロッド１３の断面円形の下端３９には、固定駒１４ａに向かって凸となる押圧凸部４０が形成されているとともに、押圧凸部４０を除く残余面４１が画成されている。それら軸３８は、隆起部１８の起立支持部分２２の下方に穿孔された軸孔２７に回転可能に挿入されている。
【００５９】
それら旋回ロッド１３は、下端部３６（軸３８）を中心として傾斜状態から起立するように隆起部１８の旋回開口２５を径方向内方（第１の方向）へ旋回可能であり、下端部３６（軸３８）を中心として起立状態から傾斜するように隆起部１８の旋回開口２５を径方向外方（第２の方向）へ旋回可能である。旋回ロッド１３の押圧凸部４０は、固定駒１４ａの後記する頂部４３（傾斜面４７）に当接し、ロッド１３の径方向内方（第１の方向）への旋回にともなって固定駒１４ａを径方向内方（第１の方向）へ押圧する。
【００６０】
それら固定駒１４ａは、台座１２ａのそれら設置凹部１９ａに移動（旋回）可能に設置（収容）されている。それら固定駒１４ａは、隆起部１８に沿って環状に並んでいる。固定駒１４ａは、図３に示すように、台座１２ａの挿入孔２０に対向する前部４２と、旋回ロッド１３の下端３９に対向する頂部４３と、台座１２ａの設置凹部１９ａの底壁３１に対向する底部４４と、底部４４から径方向外方（第２の方向）へ延びる移動軸４５（旋回プレート）とを有する。移動軸４５は、台座１２ａの設置凹部１９ａに形成された軸孔３３に挿通（配置）されている。
【００６１】
それら固定駒１４ａの前部４２には、径方向外方（第２の方向）（後方）へ向かって凹む嵌入部分４６（凹部分）が形成されている。嵌入部分４６には、光ファイバフェルール５１の頂部５２が嵌入する。それら固定駒１４ａの頂部４３は、前部４２から径方向外方（第２の方向）（後方）へ向かうにつれて下方へ向かって下り勾配に傾斜する傾斜面４７を有する。傾斜面４７には、旋回ロッド１３の押圧凸部４０が当接する。
【００６２】
それら固定駒１４ａの底部４４の中央には、上下方向へ延びるバネ設置孔４８が穿孔（形成）されている。それら固定駒１４ａは、旋回ロッド１３の径方向内方（第１の方向）への旋回にともなって設置凹部１９ａにおいて移動軸４５を中心に径方向内方（第１の方向）へ移動し、光ファイバフェルール５１を挿入孔２０に固定する。それら固定駒１４ａは、旋回ロッド１３の径方向外方（第２の方向）への旋回にともなって設置凹部１９ａにおいて移動軸４５を中心に径方向外方（第２の方向）へ移動し、挿入孔２０に対する光ファイバフェルール５１の固定を解除する。
【００６３】
それらコイルバネ１５ａは、台座１２ａの各設置凹部１９ａに設置され、固定駒１４ａの底部４４に形成されたバネ設置孔４８に圧縮下に収容されている。コイルバネ１５ａは、挿入孔２０に対する光ファイバフェルール５１の固定を解除するように各固定駒１４ａを上方であって径方向外方（第２の方向）へ付勢し、その付勢力によって固定駒１４ａを径方向外方（第２の方向）へ移動（旋回）させる。なお、コイルバネ１５ａの他に、板バネを使用することもできる。板バネは、台座１２ａの設置凹部１９ａと固定駒１４ａの底部４４との間に設置され、その付勢力によって固定駒１４ａを径方向外方（第２の方向）へ付勢し、固定駒１４ａを径方向外方（第２の方向）へ移動させる。
【００６４】
それらスライドロック１６は、円筒状に成形され、旋回ロッド１３に挿通された状態でロッド１３の軸方向へスライドする。スライドロック１６は、それをスライドさせるときに摘持する円筒状のつまみ部４９と、つまみ部４９の直下に連なる円筒状の下端部５０とを有する。スライドロック１６の下端部５０は、その径がつまみ部４９のそれよりも小さく、起立支持部分２２のロック孔２８の径よりもわずかに小さいとともに、隆起部１８の上方開口２１、側方開口２３、旋回開口２５の径よりもわずかに大きい。
【００６５】
スライドロック１６のつまみ部４９は、隆起部１８の上方開口２１、側方開口２３、旋回開口２５の径よりも大きい。コイルバネ１６は、旋回ロッド１３の上端部３４（つまみ３７）とスライドロック１６のつまみ部４９とに間に位置してロッド１３の軸方向へ延びている。コイルバネ１６は、その付勢力によってスライドロック１６を旋回ロッド１３の下端３９（下方）に向かって付勢する。
【００６６】
旋回ロッド１３が径方向外方（第２の方向）へ旋回し、ロッド１３が傾斜した図４〜図６の状態では、ロッド１３の押圧凸部４０による押圧力が固定駒１４ａの頂部４３の傾斜面４７に作用しておらず、固定駒１４ａがコイルバネ１５ａの付勢力によって移動軸４５を中心に径方向外方（第２の方向）へ移動している。固定駒１４ａの前部４２および頂部４３が径方向外方（第２の方向）へ移動して前部４３および頂部４３が挿入孔２０から径方向外方（第２の方向）へ離間し、台座１２ａの挿入孔２０が開放されている。
【００６７】
旋回ロッド１３は、隆起部１８の側方開口２３に位置し、隆起部１８の傾斜支持部分２４によって傾斜状態に支持されている。スライドロック１６がコイルバネ１７の付勢力に抗して旋回ロッド１３の上端部３４（つまみ３７）に向かってスライドし、スライドロック１６の下端部５０が傾斜支持部分２４に乗り上げている。
【００６８】
傾斜支持部分２４によって旋回ロッド１３が傾斜状態に支持された場合（旋回ロッド１３が傾斜状態に旋回した場合）、ロッド１３の下端３９の残余面４１全域が固定駒１４ａの頂部４３の傾斜面４７全域に当接する。光ファイバフェルール研磨用治具１０Ａは、旋回ロッド１３が傾斜状態に旋回したときに、ロッド１３の下端３９のうちの押圧凸部４０を除く残余面４１全域が固定駒１４ａの傾斜面４７全域に当接するから、ロッド１３によって固定駒１４ａの径方向外方（第２の方向）へのそれ以上の移動を阻止することができ、固定駒１４ａの径方向外方（第２の方向）への移動範囲を規制することができる。
【００６９】
光ファイバフェルール研磨用治具１０Ａでは、図６に矢印Ｎ１で示すように、開放された挿入孔２０に向かって光ファイバフェルール５１を挿入し、図５に示すように、挿入孔２０に光ファイバフェルール５１を差し込む。光ファイバフェルール研磨用治具１０Ａは、スライドロック１６の下端部５０がコイルバネ１７の付勢力に抗して傾斜支持部分２４に乗り上げ、下端部５０がコイルバネ１７の付勢力によって傾斜支持部分２４に押し付けられ、隆起部１８の傾斜支持部分２４によって旋回ロッド１３が傾斜状態に支持されているから、旋回ロッド１３が径方向内方（第１の方向）へ不用意に移動（旋回）することはなく、挿入孔２０における固定駒１４ａの固定解除状態が維持されるとともに挿入孔２０の開放状態が維持され、挿入孔２０に光ファイバフェルール５１を円滑に挿入することができる。
【００７０】
光ファイバフェルール研磨用治具１０Ａ（後記する光ファイバフェルール研磨用治具１０Ｂを含む）では、環状に延びる円環状（リング状）の隆起部１８と隆起部１８に沿って環状に並ぶ複数の旋回ロッド１３とから載置部材５３が形成されている。載置部材５３は、台座１２ａの上面に着脱可能に設置される。載置部材５３を形成する隆起部１８は、既述のように、環状に並ぶ上方開口２１および環状に並ぶ起立支持部分２２と、環状に並ぶ側方開口２３および環状に並ぶ傾斜支持部分２４と、環状に並ぶ旋回開口２５および環状に並ぶ旋回部分２６とを有する。載置部材５３では、隆起部１８が環状に延びていて円環（リング）を形成しているが、隆起部１８が直状に延びた状態で複数の隆起部１８が一列に並んでいてもよい。
【００７１】
載置部材５３を形成するそれら旋回ロッド１３は、既述のように、上下端部３４，３６と中間部３５とを有し、隆起部１８の上方開口２１、旋回開口２５、側方開口２３に旋回可能に挿通されている。それら旋回ロッド１３は、その下端部３６に形成された軸３８が隆起部１８の起立支持部分２２の下方に穿孔された軸孔２７に回転可能に挿入され、下端部３６を中心に径方向内方（第１の方向）と径方向外方（第２の方向）とへ旋回可能である。それら旋回ロッド１３の断面円形の下端３９には、固定駒１４ａに向かって凸となる押圧凸部４０が形成されているとともに、押圧凸部４０を除く残余面４１が画成されている。
【００７２】
載置部材５３は、隆起部１８に旋回可能に設置されたそれら旋回ロッド１３が光ファイバフェルール研磨用治具１０Ａの台座１２ａにおける光ファイバフェルール５１の固定に利用されることで、旋回ロッド１３の隆起部１８における旋回のみによって光ファイバフェルール５１を台座１２ａの挿入孔２０に固定することができるとともに、旋回ロッド１３の隆起部１８における旋回のみによって光ファイバフェルール５１の台座１２ａの挿入孔２０における固定を解除することができ、手間と時間とを要せずに旋回ロッド１３の旋回操作のみによって光ファイバフェルール５１の台座１２ａの挿入孔２０における固定と固定解除とを実現することができる。
【００７３】
図７は、旋回ロッド１３を旋回途中の状態で示す断面図であり、図８は、旋回ロッド１３が起立状態に旋回したときの光ファイバフェルール研磨用治具１０Ａの部分拡大正面図である。図９は、図８のＢ−Ｂ線矢視断面図である。図７では、径方向内方（第１の方向）を矢印Ｌ１、径方向外方（第２の方向）を矢印Ｌ２で示し、図９では、径方向外方（第２の方向）を矢印Ｌ２で示す。
【００７４】
光ファイバフェルール研磨用治具１０Ａに光ファイバフェルール５１を固定する手順は、以下のとおりである。台座１２ａの開放状態にある挿入孔２０に光ファイバフェルール５１を挿入した後、旋回ロッド１３のつまみ３７を摘持し、図５の矢印Ｌ１で示すように、傾斜状態にある旋回ロッド１３を径方向内方（第１の方向）へ旋回させる。
【００７５】
旋回ロッド１３を径方向内方（第１の方向）へ旋回させると、図７に示すように、ロッド１３が下端部３６を中心に隆起部１８の側方開口２３から上方開口２１に向かって旋回し、ロッド１３の中間部３５が隆起部１８の旋回開口２５を移動する。スライドロック１６の下端部５０が隆起部１８の旋回部分２６に乗り上げた状態で下端部５０が旋回部分２６を摺動しつつ、旋回ロッド１３が隆起部１８の傾斜支持部分２４から起立支持部分２２に向かって移動する。
【００７６】
旋回ロッド１３を径方向内方（第１の方向）へ旋回させると、ロッド１３の下端３９に形成された押圧凸部４０が固定駒１４ａの頂部４３の傾斜面４７を押圧し、固定駒１４ａが移動軸４５を中心にコイルバネ１５ａ（付勢手段）の付勢力に抗して径方向内方（第１の方向）へ次第に移動し、固定駒１４ａの前部４２および頂部４３が径方向内方（第１の方向）へ移動して前部４２および頂部４３が挿入孔２０に次第に近づく。
【００７７】
光ファイバフェルール研磨用治具１０Ａは、旋回ロッド１３の傾斜状態から起立状態への旋回時にロッド１３の押圧凸部４０が固定駒１４ａの傾斜面４７を摺動下に押圧することで、コイルバネ１５ａの付勢力に抗して固定駒１４ａを径方向内方（第１の方向）へ円滑に移動させることができ、ロッド１３の押圧凸部４０によって移動軸４５を中心に固定駒１４ａを径方向内向（第１の方向）へ確実に移動させることができる。
【００７８】
図７の状態から旋回ロッド１３をさらに径方向内方（第１の方向）へ旋回させると、ロッド１３が隆起部１８の上方開口２１に向かって旋回部分２６を移動し、図８，９に示すように、旋回部分２６から起立支持部分２２に移動して傾斜状態から起立状態に旋回する。旋回ロッド１３の傾斜状態から起立状態への旋回にともなって固定駒１４ａが径方向内方（第１の方向）へさらに移動し、固定駒１４ａの前部４２が挿入孔２０に移動する。
【００７９】
旋回ロッド１３が起立状態に旋回すると、ロッド１３が隆起部１８の上方開口２１に位置するとともに、ロッド１３の中間部３５が隆起部１８の起立支持部分２２に当接し、径方向内方（第１の方向）へのロッド１３のそれ以上の旋回が阻止される。旋回ロッド１３が隆起部１８の起立支持部分２２に移動すると、コイルバネ１７の付勢力によってスライドロック１６がロッド１３の下方へ移動し、スライドロック１６の下端部５０がロック孔２８に進入する。
【００８０】
スライドロック１６の下端部５０がロック孔２８に進入することで、旋回ロッド１３が開口支持部分２２に旋回不能に固定されてロッド１３の起立状態が維持される。さらに、コイルバネ１７の付勢力によってスライドロック１６が旋回ロッド１３の下方へ押圧され、スライドロック１６の下端部５０のロック孔２８への進入状態が維持される。
【００８１】
旋回ロッド１３が隆起部１８において起立し、固定駒１４ａの前部４２が挿入孔２０に移動すると、図９に示すように、固定駒１４ａの底部４４全体が設置凹部１９ａの底壁３１に当接するとともに、光ファイバフェルール５１の頂部５２が固定駒１４ａの前部４２の嵌入部分４６に嵌入する。光ファイバフェルール５１の頂部５２が嵌入部分４６に嵌入することで、光ファイバフェルール５１が台座１２ａの挿入孔２０に遊動不能であって挿入孔２０から脱出不能に固定される。
【００８２】
光ファイバフェルール研磨用治具１０Ａは、スライドロック１６の下端部５０のロック孔２８に対する進入状態がコイルバネ１７の付勢力によって維持されるとともに、旋回ロッド１３の起立状態が維持されるから、ロッド１３が径方向外方（第２の方向）へ不用意に旋回することはなく、挿入孔２０に対する光ファイバフェルール５１の固定が不用意に解除されることはなく、固定駒１４ａによる光ファイバフェルール５１の挿入孔２０における固定を維持することができる。
【００８３】
光ファイバフェルール研磨用治具１０Ａは、旋回ロッド１３が起立状態に旋回したときに、光ファイバフェルール５１の頂部５２が固定駒１４ａの前部４２に形成された嵌入部分４６に嵌入することで、固定駒１４ａの嵌入部分４６によって光ファイバフェルール５１を挿入孔２０に遊動不能かつ挿入孔２０から脱出不能に固定することができる。
【００８４】
挿入孔２０から光ファイバフェルール５１を抜き取る手順は、以下のとおりである。起立状態にある旋回ロッド１３に挿通されたスライドロック１６のつまみ部４９を摘持し、コイルバネ１７の付勢力に抗してスライドロック１６をロッド１３の上端部３４に向かって移動させ、スライドロック１６の下端部５０をロック孔２８から引き出す。次に、つまみ部４９を摘持しつつ旋回ロッド１３のつまみ３７を摘持し、図９に矢印Ｌ２で示すように、起立状態にある旋回ロッド１３を径方向外方（第２の方向）へ旋回させる。
【００８５】
旋回ロッド１３を径方向外方（第２の方向）へ旋回させると、ロッド１３が下端部３６を中心に隆起部１８の上方開口２１から側方開口２３に向かって旋回し、ロッド１３の上端部３４および中間部３５が隆起部１８の旋回開口２５を移動する。スライドロック１６の下端部５０が隆起部１８の旋回部分２６に乗り上げた状態で下端部５０が旋回部分２６を摺動しつつ、旋回ロッド１３が隆起部１８の起立支持部分２２から傾斜支持部分２４に向かって移動する。
【００８６】
旋回ロッド１３を径方向外方（第２の方向）へ旋回させると、ロッド１３の下端３９に形成された押圧凸部４０が固定駒１４ａの頂部４３の傾斜面４７を上方へ移動し、固定駒１４ａが移動軸４５を中心にコイルバネ１５ａ（付勢手段）の付勢力によって径方向外方（第２の方向）へ次第に移動し、固定駒１４ａの前部４２および頂部４３が径方向外方（第２の方向）へ移動して前部４２および頂部４３が挿入孔２０から次第に離間する（図７参照）。
【００８７】
旋回ロッド１３をさらに径方向外方（第２の方向）へ旋回させると、ロッド１３が隆起部１８の側方開口２３に向かって旋回部分２６を移動し、旋回部分２６から傾斜支持部分２４に移動して起立状態から傾斜状態へ旋回する。旋回ロッド１３の起立状態から傾斜状態への旋回にともなって固定駒１４ａが径方向外方（第２の方向）へさらに移動し、固定駒１４ａの前部４２が挿入孔２０から離間する。
【００８８】
旋回ロッド１３が傾斜状態に旋回すると、ロッド１３が隆起部１８の側方開口２３に位置するとともに、ロッド１３の中間部３５が隆起部１８の傾斜支持部分２４に当接し、径方向外方（第２の方向）へのロッド１３のそれ以上の旋回が阻止される。旋回ロッド１３が隆起部１８の傾斜支持部分２４に移動すると、固定駒１４ａの底部４４が設置凹部１９ａの底壁３１から上方へ離間するとともに、固定駒１４ａの前部４２の嵌入部分４６が光ファイバフェルール５１の頂部５２から径方向外方（第２の方向）へ離間し、台座１２ａの挿入孔２０に対する光ファイバフェルール５１の固定が解除される（図５参照）。
【００８９】
挿入孔２０に対する光ファイバフェルール５１の固定を解除した後、挿入孔から光ファイバフェルール５１を引き抜く。光ファイバフェルール研磨用治具１０Ａは、コイルバネ１５ａの付勢力によって固定駒１４ａの移動状態が維持されるとともに、挿入孔２０の開放状態が維持されるから、それら挿入孔２０に各光ファイバフェルール５１を円滑に挿入することができ、それら挿入孔２０から各光ファイバフェルール５１を円滑に引き抜くことができる。
【００９０】
光ファイバフェルール研磨用治具１０Ａは、旋回ロッド１３の傾斜状態から起立状態への旋回（径方向内方（第１の方向）への旋回）にともなって固定駒１４ａがコイルバネ１５ａ（付勢手段）の付勢力に抗して径方向内方（第１の方向）へ移動し、光ファイバフェルール５１の頂部５２が固定駒１４ａの前部４２に形成された嵌入部分４６に嵌入することで、固定駒１４ａの嵌入部分４６によって光ファイバフェルール５１が挿入孔２０に遊動不能かつ挿入孔２０から脱出不能に固定されるから、ロッド１３を径方向内方（第１の方向）へ旋回させる操作のみによって光ファイバフェルール５１を挿入孔２０に固定することができ、挿入孔２０に対する光ファイバフェルール５１の固定に手間と時間とを要せず、光ファイバフェルール５１を挿入孔２０に簡単かつ容易に固定することができる。
【００９１】
光ファイバフェルール研磨用治具１０Ａは、旋回ロッド１３の起立状態から傾斜状態への旋回（径方向外方（第２の方向）への旋回）にともなって固定駒１４ａがコイルバネ１５ａ（付勢手段）の付勢力によって径方向外方（第２の方向）へ移動して固定駒１４ａの嵌入部分４６が光ファイバフェルール５１の頂部５２から離れ、固定駒１４ａによる光ファイバフェルール５１の固定が解除されるから、ロッド１３を径方向外方（第２の方向）へ旋回させる操作のみによって固定駒１４ａによる光ファイバフェルール５１の挿入孔２０における固定を解除することができ、挿入孔２０に対する光ファイバフェルール５１の固定解除に手間と時間とを要せず、光ファイバフェルール５１の固定を簡単かつ容易に解除することができる。
【００９２】
光ファイバフェルール研磨用治具１０Ａは、それら固定駒１４ａの嵌入部分４６によってそれら光ファイバフェルール５１が各挿入孔２０に遊動不能かつ挿入孔２０から脱出不能に固定されるから、各光ファイバフェルール５１の各挿入孔２０に対する固定条件を同一にすることができ、各光ファイバフェルール５１に均等に研磨加工を施すことができる。
【００９３】
図１０は、他の一例として示す台座１２Ｂの上面図であり、図１１は、他の一例として示す固定駒１４ｂの斜視図である。図１２は、他の一例として示す光ファイバフェルール研磨用治具１０Ｂの図５と同様の断面図であり、図１３は、光ファイバフェルール５１を台座１２ｂの挿入孔２０に挿入する以前の状態で示す図１２と同一の断面図である。図１０では、台座１２ｂの上面に板バネ１５ｂを配置した状態で示すとともに、台座１２ｂのそれら設置孔部１９ｂのうちの６カ所の設置孔部１９ｂに固定駒１４ｂを配置した状態で示す。図１０，１２では、径方向内方（第１の方向）を矢印Ｌ１、径方向外方（第１の方向とは反対の第２の方向）を矢印Ｌ２、周り方向を矢印Ｍで示し、上下方向を矢印Ｎで示す。なお、光ファイバフェルール研磨用治具１０Ｂの上面図は、図１と同一に表れる。
【００９４】
光ファイバフェルール研磨用治具１０Ｂは、光ファイバフェルール研磨用治具１０Ａと同様に、フェルール研磨機（図示せず）に設置され、光ファイバフェルール研磨機による光ファイバフェルール１１の研磨に使用される。光ファイバフェルール研磨用治具１０Ｂは、所定面積および所定の厚さを有する台座１２ｂと、所定の厚さを有して台座１２ｂの上方へ凸となる平凸状の隆起部１８と、台座１２ｂに旋回可能に設置された複数の旋回ロッド１３と、台座１２ｂに旋回可能（移動可能）に設置された複数の固定駒１４ｂと、それら台座１２ｂに設置された板バネ１５ｂ（付勢手段）と、それら旋回ロッド１３に挿通された複数のスライドロック１６と、それら旋回ロッド１３に挿通されてロッド１３の軸方向へ延びる複数のコイルバネ１７とから形成されている。
【００９５】
台座１２ｂ（プレート）は、アルミや合金等の金属から作られ、円形の平板状（円盤状）に成形されている。台座１２ｂは、光ファイバフェルール研磨機に着脱可能に設置される。台座１２ｂには、台座１２ｂの上下面を上下方向へ貫通する複数の設置孔部１９ｂ（設置部）と、台座１２ｂの上下面を上下方向へ貫通する複数の挿入孔２０とが形成されている。
【００９６】
隆起部１８は、光ファイバフェルール研磨用治具１０Ａのそれと同一であり、台座１２ｂの上方に位置し、環状に延びていて円環（リング）を形成している。隆起部１８の各構成は、光ファイバフェルール研磨用治具１０Ａのそれらと同一であるから、光ファイバフェルール研磨用治具１０Ａの隆起部１８の説明を援用するとともに、光ファイバフェルール研磨用治具１０Ａと同一の符号を付すことで、隆起部１８の構成の説明は省略する。
【００９７】
それら設置孔部１９ｂ（それら設置部）は、台座１２ｂの挿入孔２０と旋回ロッド１３との間に形成され、隆起部１８の起立支持部分２２の径方向内方（第１の方向）に隣接し、隆起部１８の直近に位置している。それら設置孔部１９ｂは、隆起部１８に沿って環状に並んでいる。それら設置孔部１９ｂには、固定駒１４ｂが旋回（移動）可能に設置されている。
【００９８】
それら設置孔部１９ｂは、旋回ロッド１３の略直下に位置して上下方向へ延びる後壁５４と、後壁５４の両側に位置して上下方向へ延びる両側壁５５（両側面）と、後壁５４の側に位置する両側壁５５に形成された一対の軸孔５６とを有する。軸孔５６は、台座１２ｂの上下面を上下方向へ貫通する貫通孔であり、両側壁５５から周り方向（水平方向）へ延びている。
【００９９】
それら挿入孔２０は、設置孔部１９ｂの径方向内方（第１の方向）に隣接し、設置孔部１９ｂの直近に位置するとともに、隆起部１８に沿って環状に並んでいる。それら旋回ロッド１３は、隆起部１８に沿って環状に並んでいる。それら挿入孔２０の各構成やそれら旋回ロッド１３の各構成は、光ファイバフェルール研磨用治具１０Ａのそれらと同一であるから、光ファイバフェルール研磨用治具１０Ａの挿入孔２０や旋回ロッド１３の説明を援用するとともに、光ファイバフェルール研磨用治具１０Ａと同一の符号を付すことで、挿入孔２０や旋回ロッド１３の構成の説明は省略する。
【０１００】
それら固定駒１４ｂは、台座１２ｂのそれら設置孔部１９ｂに旋回（移動）可能に設置（収容）され、隆起部１８に沿って環状に並んでいる。固定駒１４ｂは、図１１に示すように、台座１２ｂの挿入孔２０に対向する前部５７と、台座１２ｂの設置孔部１９ｂの後壁５４に対向する後部５８と、旋回ロッド１３の下端３９に対向する頂部５９と、台座１２ｂの設置孔部１９ｂの下方に位置する底部６０と、台座１２ｂの設置孔部１９ｂの両側壁３０（両側面）に対向する両側部６１と、後部５８の側に位置する両側部６１から周り方向（横方向）へ延びる一対の回転軸６２（旋回軸）とを有する。それら回転軸６２は、台座１２ｂの設置孔部１９ｂに形成された軸孔５６に配置されている。
【０１０１】
それら固定駒１４ｂの前部５７には、径方向外方（第２の方向）（後方）へ向かって凹む嵌入部分６３（凹部分）が形成され、嵌入部分６３につながって底部６０に向かって湾曲する湾曲面６４が形成されている。なお、湾曲面６４の他に、嵌入部分６３につながって底部６０に向かうにつれて下り勾配に傾斜（後部５８に向かって傾斜）する傾斜面が固定駒１４ｂの前部５７に形成されていてもよい。嵌入部分６３には、光ファイバフェルール５１の頂部５２が嵌入する。
【０１０２】
それら固定駒１４ｂの頂部５９は、前部５７から径方向外方（第２の方向）（後方）へ向かうにつれて下方へ向かって下り勾配に傾斜する傾斜面６５を有する。傾斜面６５には、旋回ロッド１３の押圧凸部４０が当接する。それら固定駒１４ｂの頂部５９の側に位置する両側部６１には、両側部６１から周り方向（横方向）へ延びる（張り出す）一対の当接部分６６が形成されている。
【０１０３】
それら固定駒１４ｂは、旋回ロッド１３の径方向内方（第１の方向）への旋回にともなって設置孔部１９ｂにおいて回転軸６２を中心に径方向内方（第１の方向）へ旋回（移動）し、光ファイバフェルール５１を挿入孔２０に固定する。それら固定駒１４ｂは、旋回ロッド１３の径方向外方（第２の方向）への旋回にともなって設置孔部１９ｂにおいて回転軸６２を中心に径方向外方（第２の方向）へ旋回し、挿入孔２０に対する光ファイバフェルール５１の固定を解除する。
【０１０４】
板バネ１５ｂは、台座１２ｂの各設置孔部１９ｂの径方向外方近傍（第２の方向近傍）に配置されている。板バネ１５ｂは、ベース部６７と、ベース部６７につながる複数のバネ部６８とから形成されている。ベース部６７は、各設置孔部１９ｂの径方向外方近傍に延びる台座１２ｂの上面に位置し、隆起部１８に沿って環状に延びていて円環（リング）を形成している。ベース部６７は、台座１２ｂの上面と隆起部１８の傾斜支持部分２４の下面との間に介在し、台座１２ｂと隆起部１８の傾斜支持部分２４とに挟まれた状態で台座１２ｂの上面に固定されている。
【０１０５】
それらバネ部６８は、互いに隣接する各設置孔部１９ｂの間に延びる台座１２ｂの上面に位置し、隆起部１８に沿って環状に並んでいる。
光ファイバフェルール研磨用治具１０Ｂでは、それら固定駒１４ｂが各設置孔部１９ｂに設置（収容）されたときに、互いに隣接する設置孔部１９ｂの間に延びる台座１２ｂの上面と固定駒１４ｂの両側部６１の当接部分６６との間にそれらバネ部６８が介在し、固定駒１４ｂの両側部６１の当接部分６６が板バネ１５ｂのバネ部６８に当接する。それらバネ部６８は、挿入孔２０に対する光ファイバフェルール５１の固定を解除するように各固定駒１４ｂを上方であって径方向外方（第２の方向）へ付勢し、その付勢力によって固定駒１４ｂを径方向外方（第２の方向）へ旋回（移動）させる。
【０１０６】
スライドロック１６は、旋回ロッド１３に挿通された状態でロッド１３の軸方向へスライドする。コイルバネ１６は、その付勢力によってスライドロック１６を旋回ロッド１３の下端３９（下方）に向かって付勢する。スライドロック１６やコイルバネ１６の各構成は、光ファイバフェルール研磨用治具１０Ａのそれらと同一であるから、光ファイバフェルール研磨用治具１０Ａのスライドロック１６やコイルバネ１６の説明を援用するとともに、光ファイバフェルール研磨用治具１０Ａと同一の符号を付すことで、スライドロック１６やコイルバネ１６の構成の説明は省略する。
【０１０７】
旋回ロッド１３が径方向外方（第２の方向）へ旋回し、ロッド１３が傾斜した図１２，１３の状態では、ロッド１３の押圧凸部４０による押圧力が固定駒１４ｂの頂部５９の傾斜面６５に作用しておらず、固定駒１４ｂが板バネ１５ｂのバネ部６８の付勢力によって回転軸６２を中心に径方向外方（第２の方向）へ旋回（移動）している。固定駒１４ｂの前部５７および頂部５９が径方向外方（第２の方向）へ旋回して前部５７および頂部５９が挿入孔２０から径方向外方（第２の方向）へ離間し、台座１２ｂの挿入孔２０が開放されている。
【０１０８】
旋回ロッド１３は、隆起部１８の側方開口２３に位置し、隆起部１８の傾斜支持部分２４によって傾斜状態に支持されている。スライドロック１６がコイルバネ１７の付勢力に抗して旋回ロッド１３の上端部３４（つまみ３７）に向かってスライドし、スライドロック１６の下端部５０が傾斜支持部分２４に乗り上げている。光ファイバフェルール研磨用治具１０Ｂは、旋回ロッド１３が傾斜状態に旋回したときに、ロッド１３の下端３９のうちの押圧凸部４０が固定駒１４ｂの頂部５９に当接し、押圧凸部４０を除く残余面４１が固定駒１４ｂの傾斜面６５に当接するから、ロッド１３によって固定駒１４ｂの径方向外方（第２の方向）へのそれ以上の旋回（移動）を阻止することができ、固定駒１４ｂの径方向外方（第２の方向）への旋回範囲を規制することができる。
【０１０９】
光ファイバフェルール研磨用治具１０Ｂでは、図１３に矢印Ｎ１で示すように、開放された挿入孔２０に向かって光ファイバフェルール５１を挿入し、図１２に示すように、挿入孔２０に光ファイバフェルール５１を差し込む。光ファイバフェルール研磨用治具１０Ｂは、スライドロック１６の下端部５０がコイルバネ１７の付勢力に抗して傾斜支持部分２４に乗り上げ、下端部５０がコイルバネ１７の付勢力によって傾斜支持部分２４に押し付けられ、隆起部１８の傾斜支持部分２４によって旋回ロッド１３が傾斜状態に支持されているから、旋回ロッド１３が径方向内方（第１の方向）へ不用意に旋回（移動）することはなく、挿入孔２０における固定駒１４ｂの固定解除状態が維持されるとともに挿入孔２０の開放状態が維持され、挿入孔２０に光ファイバフェルール５１を円滑に挿入することができる。
【０１１０】
図１４は、旋回ロッド１３を旋回途中の状態で示す図７と同様の断面図であり、図１５は、旋回ロッド１３が起立状態に旋回したときの図９と同様の断面図である。図１４では、径方向内方（第１の方向）を矢印Ｌ１、径方向外方（第２の方向）を矢印Ｌ２で示し、図１５では、径方向外方（第２の方向）を矢印Ｌ２で示す。
【０１１１】
光ファイバフェルール研磨用治具１０Ｂに光ファイバフェルール５１を固定する手順は、以下のとおりである。台座１２ｂの開放状態にある挿入孔２０に光ファイバフェルール５１を挿入した後、旋回ロッド１３のつまみ３７を摘持し、図１２の矢印Ｌ１で示すように、傾斜状態にある旋回ロッド１３を径方向内方（第１の方向）へ旋回させる。
【０１１２】
旋回ロッド１３を径方向内方（第１の方向）へ旋回させると、図１４に示すように、ロッド１３が下端部３６を中心に隆起部１８の側方開口２３から上方開口２１に向かって旋回し、ロッド１３の中間部３５が隆起部１８の旋回開口２５を移動する。スライドロック１６の下端部５０が隆起部１８の旋回部分２６に乗り上げた状態で下端部５０が旋回部分２６を摺動しつつ、旋回ロッド１３が隆起部１８の傾斜支持部分２４から起立支持部分２２に向かって移動する。
【０１１３】
旋回ロッド１３を径方向内方（第１の方向）へ旋回させると、ロッド１３の下端３９に形成された押圧凸部４０が固定駒１４ｂの頂部５９の傾斜面６５を押圧し、固定駒１４ｂが回転軸６２を中心に板バネ１５ｂのバネ部６８（付勢手段）の付勢力に抗して径方向内方（第１の方向）へ次第に旋回（移動）し、固定駒１４ｂの前部５７および頂部５９が径方向内方（第１の方向）へ旋回して前部５７および頂部５９が挿入孔２０に次第に近づく。
【０１１４】
光ファイバフェルール研磨用治具１０Ｂは、旋回ロッド１３の傾斜状態から起立状態への旋回時にロッド１３の押圧凸部４０が固定駒１４ｂの傾斜面６５を摺動下に押圧することで、板バネ１５ｂのバネ部６８の付勢力に抗して固定駒１４ｂを径方向内方（第１の方向）へ円滑に旋回（移動）させることができ、ロッド１３の押圧凸部４０によって回転軸６２を中心に固定駒１４ｂを径方向内向（第１の方向）へ確実に旋回させることができる。
【０１１５】
図１４の状態から旋回ロッド１３をさらに径方向内方（第１の方向）へ旋回させると、ロッド１３が隆起部１８の上方開口２１に向かって旋回部分２６を移動し、図１５に示すように、旋回部分２６から起立支持部分２２に移動して傾斜状態から起立状態に旋回する。旋回ロッド１３の傾斜状態から起立状態への旋回にともなって固定駒１４ｂが径方向内方（第１の方向）へさらに旋回（移動）し、固定駒１４ｂの前部５７が挿入孔２０に移動する。
【０１１６】
旋回ロッド１３が起立状態に旋回すると、ロッド１３が隆起部１８の上方開口２１に位置するとともに、ロッド１３の中間部３５が隆起部１８の起立支持部分２２に当接し、径方向内方（第１の方向）へのロッド１３のそれ以上の旋回が阻止される。旋回ロッド１３を起立させた状態におけるスライドロック１６の動きは光ファイバフェルール研磨用治具１０Ａのそれと同一であり、スライドロック１６によってロッド１３の起立状態が維持される。
【０１１７】
旋回ロッド１３が隆起部１８において起立し、固定駒１４ｂの前部５７が挿入孔２０に移動すると、図１５に示すように、固定駒１４ｂの底部６０が設置孔部１９ａの下方に位置するとともに、光ファイバフェルール５１の頂部５２が固定駒１４ｂの前部５７の嵌入部分６３に嵌入する。光ファイバフェルール５１の頂部５２が嵌入部分６３に嵌入することで、光ファイバフェルール５１が台座１２ｂの挿入孔２０に遊動不能であって挿入孔２０から脱出不能に固定される。
【０１１８】
光ファイバフェルール研磨用治具１０Ｂは、スライドロック１６の下端部５０のロック孔２８に対する進入状態がコイルバネ１７の付勢力によって維持されるとともに、旋回ロッド１３の起立状態が維持されるから、ロッド１３が径方向外方（第２の方向）へ不用意に旋回することはなく、挿入孔２０に対する光ファイバフェルール５１の固定が不用意に解除されることはなく、固定駒１４ｂによる光ファイバフェルール５１の挿入孔２０における固定を維持することができる。
【０１１９】
光ファイバフェルール研磨用治具１０Ｂは、旋回ロッド１３が起立状態に旋回したときに、光ファイバフェルール５１の頂部５２が固定駒１４ｂの前部５７に形成された嵌入部分６３に嵌入することで、固定駒１４ｂの嵌入部分６３によって光ファイバフェルール５１を挿入孔２０に遊動不能であって挿入孔２０から脱出不能に固定することができる。
【０１２０】
挿入孔２０から光ファイバフェルール５１を抜き取る手順は、以下のとおりである。起立状態にある旋回ロッド１３に挿通されたスライドロック１６のつまみ部４９を摘持し、コイルバネ１７の付勢力に抗してスライドロック１６をロッド１３の上端部３４に向かって移動させ、スライドロック１６の下端部５０をロック孔２８から引き出す。次に、つまみ部４９を摘持しつつ旋回ロッド１３のつまみ３７を摘持し、図１５に矢印Ｌ２で示すように、起立状態にある旋回ロッド１３を径方向外方（第２の方向）へ旋回させる。
【０１２１】
旋回ロッド１３を径方向外方（第２の方向）へ旋回させた場合のロッド１３の動きは光ファイバフェルール研磨用治具１０Ａのそれと同一である。旋回ロッド１３を径方向外方（第２の方向）へ旋回させると、ロッド１３の下端３９に形成された押圧凸部４０が固定駒１４ｂの頂部５９の傾斜面６５を上方へ移動し、固定駒１４ｂが回転軸６２を中心に板バネ１５ｂのバネ部６８（付勢手段）の付勢力によって径方向外方（第２の方向）へ次第に旋回（移動）し、固定駒１４ｂの前部５７および頂部５９が径方向外方（第２の方向）へ旋回して前部５７および頂部５９が挿入孔２０から次第に離間する（図１４参照）。
【０１２２】
旋回ロッド１３をさらに径方向外方（第２の方向）へ旋回させると、ロッド１３が隆起部１８の側方開口２３に向かって旋回部分２６を移動し、旋回部分２６から傾斜支持部分２４に移動して起立状態から傾斜状態へ旋回する。旋回ロッド１３の起立状態から傾斜状態への旋回にともなって固定駒１４ｂが径方向外方（第２の方向）へさらに旋回し、固定駒１４ｂの前部５７が挿入孔２０から離間する。
【０１２３】
旋回ロッド１３が傾斜状態に旋回すると、ロッド１３が隆起部１８の側方開口２３に位置するとともに、ロッド１３の中間部３５が隆起部１８の傾斜支持部分２４に当接し、径方向外方（第２の方向）へのロッド１３のそれ以上の旋回が阻止される。旋回ロッド１３が隆起部１８の傾斜支持部分２４に移動すると、固定駒１４ｂの底部６０が設置孔部１９ｂの下方から上方へ離間するとともに、固定駒１４ｂの前部５７の嵌入部分６３が光ファイバフェルール５１の頂部５２から径方向外方（第２の方向）へ離間し、台座１２ｂの挿入孔２０に対する光ファイバフェルール５１の固定が解除される（図１２参照）。
【０１２４】
挿入孔２０に対する光ファイバフェルール５１の固定を解除した後、挿入孔から光ファイバフェルール５１を引き抜く。光ファイバフェルール研磨用治具１０Ｂは、板バネ１５ｂのバネ部６８の付勢力によって固定駒１４ｂの旋回（移動）状態が維持されるとともに、挿入孔２０の開放状態が維持されるから、それら挿入孔２０に各光ファイバフェルール５１を円滑に挿入することができ、それら挿入孔２０から各光ファイバフェルール５１を円滑に引き抜くことができる。
【０１２５】
光ファイバフェルール研磨用治具１０Ｂは、旋回ロッド１３の傾斜状態から起立状態への旋回（径方向内方（第１の方向）への旋回）にともなって固定駒１４ｂが板バネ１５ｂのバネ部６８（付勢手段）の付勢力に抗して径方向内方（第１の方向）へ旋回し、光ファイバフェルール５１の頂部５２が固定駒１４ｂの前部５７に形成された嵌入部分６３に嵌入することで、固定駒１４ｂの嵌入部分６３によって光ファイバフェルール５１が挿入孔２０に遊動不能かつ挿入孔２０から脱出不能に固定されるから、ロッド１３を径方向内方（第１の方向）へ旋回させる操作のみによって光ファイバフェルール５１を挿入孔２０に固定することができ、挿入孔２０に対する光ファイバフェルール５１の固定に手間と時間とを要せず、光ファイバフェルール５１を挿入孔２０に簡単かつ容易に固定することができる。
【０１２６】
光ファイバフェルール研磨用治具１０Ｂは、旋回ロッド１３の起立状態から傾斜状態への旋回（径方向外方（第２の方向）への旋回）にともなって固定駒１４ｂが板バネ１５ｂのバネ部６８（付勢手段）の付勢力によって径方向外方（第２の方向）へ旋回して固定駒１４ｂの嵌入部分６３が光ファイバフェルール５１の頂部５２から離れ、固定駒１４ｂによる光ファイバフェルール５１の固定が解除されるから、ロッド１３を径方向外方（第２の方向）へ旋回させる操作のみによって固定駒１４ｂによる光ファイバフェルール５１の挿入孔２０における固定を解除することができ、挿入孔２０に対する光ファイバフェルール５１の固定解除に手間と時間とを要せず、光ファイバフェルール５１の固定を簡単かつ容易に解除することができる。
【０１２７】
光ファイバフェルール研磨用治具１０Ｂは、それら固定駒１４ｂの嵌入部分６３によってそれら光ファイバフェルール５１が各挿入孔２０に遊動不能かつ挿入孔２０から脱出不能に固定されるから、各光ファイバフェルール５１の各挿入孔２０に対する固定条件を同一にすることができ、各光ファイバフェルール５１に均等に研磨加工を施すことができる。
【符号の説明】
【０１２８】
１０Ａ  光ファイバフェルール研磨用治具
１０Ｂ  光ファイバフェルール研磨用治具
１１    光ファイバ
１２ａ  台座
１２ｂ  台座
１３    旋回ロッド
１４ａ  固定駒
１４ｂ  固定駒
１５ａ  コイルバネ（付勢手段）
１５ｂ  板バネ（付勢手段）
１６    スライドロック
１７    コイルバネ
１８    隆起部
１９ａ  設置凹部（設置部）
１９ｂ  設置孔部（設置部）
２０    挿入孔
２１    上方開口
２２    起立支持部分
２３    側方開口
２４    傾斜支持部分
２５    旋回開口
２６    旋回部分
２７    軸孔
２８    ロック孔
２９    後壁
３０    両側壁（両側面）
３１    底壁
３２    軸係止凸部
３３    軸孔
３４    上端部
３５    中間部
３６    下端部
３７    つまみ
３８    軸
３９    下端
４０    押圧凸部
４１    残余面
４２    前部
４３    頂部
４４    底部
４５    移動軸
４６    嵌入部分
４７    傾斜面
４８    バネ設置孔
４９    つまみ部
５０    下端部
５１    光ファイバフェルール
５２    頂部
５３    載置部材
５４    後壁
５５    両側壁（両側面）
５６    軸孔
５７    前部
５８    後部
５９    頂部
６０    底部
６１    両側部
６２    回転軸
６３    嵌入部分
６４    湾曲面
６５    傾斜面
６６    当接部分
６７    ベース部
６８    バネ部
【図１】
2017170605.tif 000003
【図２】
2017170605.tif 000004
【図３】
2017170605.tif 000005
【図４】
2017170605.tif 000006
【図５】
2017170605.tif 000007
【図６】
2017170605.tif 000008
【図７】
2017170605.tif 000009
【図８】
2017170605.tif 000010
【図９】
2017170605.tif 000011
【図１０】
2017170605.tif 000012
【図１１】
2017170605.tif 000013
【図１２】
2017170605.tif 000014
【図１３】
2017170605.tif 000015
【図１４】
2017170605.tif 000016
【図１５】
2017170605.tif 000017
【手続補正書】
【提出日】平成29年5月8日(2017.5.8)
【手続補正１】
【補正対象書類名】明細書
【補正対象項目名】全文
【補正方法】変更
【補正の内容】
【発明の詳細な説明】
【技術分野】
【０００１】
本発明は、光ファイバフェルールの研磨に使用される光ファイバフェルール研磨用治具に関するとともに、複数の光ファイバフェルールの研磨に使用される光ファイバフェルール研磨用治具の台座に設置される載置部材に関する。
【背景技術】
【０００２】
各光ファイバフェルールが挿入される多数の挿入孔を有する研磨治具本体と、挿入孔から所定の距離に壁面を有して挿入孔の一側に連なる座部と、挿入孔の座部に対向する側に位置して挿入孔から立ち上がる支持壁とを有し、座部が連なる挿入孔の支持壁との間隔を調整する方向へスライド可能であり、支持壁に向いた前方に保持部を有するとともに、後方に座部の壁面と平行で壁面に向けて下り勾配の傾斜面を有する保持部材が配置され、座部に配置された保持部材の傾斜面上に配置したロッド部材を下方へ押圧するボルトおよびワッシャが座部の壁面外方における研磨治具本体に設けられ、ボルトを下方へねじ込むことでワッシャがロッド部材を下方へ押圧して座部の壁面に沿って下降し、それによって保持部材が前方へ押し出されて保持部と支持壁とで各光ファイバフェルールを保持する光ファイバフェルール研磨用治具が開示されている（特許文献１参照）。
【０００３】
この光ファイバフェルール研磨用治具は、コイルバネの付勢力によって保持部材が支持壁から離間する方向に付勢されており、ボルトを緩めた場合、保持部が挿入孔から退避する。その状態で挿入孔に光ファイバフェルールを挿入し、ボルトをねじ込むと、ワッシャがロッド部材を下方へ押圧し、それによってロッド部材が座部の壁面に沿って下降する。ロッド部材の下降にともなって下方への押圧力が保持部材の傾斜面に作用し、保持部材が前方へ押し出され、保持部材の保持部が光ファイバフェルールの側面を押圧することで、光ファイバフェルールが保持部と支持壁とに挟持された状態で挿入孔に固定される。光ファイバフェルールが挿入孔に固定された状態からボルトを緩めると、コイルバネの付勢力によって保持部材が後方へ移動し、保持部材の保持部による光ファイバフェルールの側面への押圧力が解除され、挿入孔に対する光ファイバフェルールの固定が解除される。
【先行技術文献】
【特許文献】
【０００４】
【特許文献１】特開２００４−１８１６０８号公報
【発明の概要】
【発明が解決しようとする課題】
【０００５】
前記特許文献１に開示の光ファイバフェルール研磨用治具は、各光ファイバフェルールを各挿入孔に固定する場合、レンチやドライバー等の締め付け工具によってボルトをねじ込まなければならず、挿入孔に対する光ファイバフェルールの固定に手間と時間とを要するとともに、各挿入孔に対する各光ファイバフェルールの固定を解除する場合、ねじ込まれたボルトを締め付け工具によって緩めなければならず、挿入孔に対する光ファイバフェルールの固定解除に手間と時間とを要する。また、締め付け工具を利用して手動によってボルトをねじ込む場合、ねじ込みトルクが一定ではなく、一方の保持部材の保持部による光ファイバフェルールの側面への押圧力と他方の保持部材の保持部による光ファイバフェルールの側面への押圧力とが異なる場合があり、各挿入孔における各光ファイバフェルールの固定条件が異なる場合がある。各挿入孔における各光ファイバフェルールの固定条件が異なると、研磨機による光ファイバフェルールの研磨時に各光ファイバフェルールに均等に研磨加工を施すことができない場合がある。
【０００６】
本発明の目的は、光ファイバフェルールの固定および固定解除に手間と時間とを要せず、光ファイバフェルールを容易に固定することができ、光ファイバフェルールの固定を容易に解除することができる光ファイバフェルール研磨用治具を提供することにある。本発明の他の目的は、固定条件を同一にすることができ、各光ファイバフェルールに均等に研磨加工を施すことができる光ファイバフェルール研磨用治具を提供することにある。本発明の他の目的は、手間と時間とを要せずに簡単に光ファイバフェルールの固定および固定解除を実現することができる載置部材を提供することにある。
【課題を解決するための手段】
【０００７】
前記課題を解決するための本発明の第１の前提は、複数の光ファイバフェルールの研磨に使用される光ファイバフェルール研磨用治具である。
【０００８】
前記第１の前提における本発明の光ファイバフェルール研磨用治具の特徴は、光ファイバフェルール研磨用治具が、所定面積の台座と、台座に形成されて複数の光ファイバフェルールを挿抜可能に挿入する複数の挿入孔と、上下端部および中間部を有して台座のそれぞれの挿入孔に隣接し、下端部を中心として旋回可能な複数の旋回ロッドと、台座のそれぞれの挿入孔とそれぞれの旋回ロッドとの間に形成された複数の設置部と、台座のそれぞれの設置部に設置され、それら旋回ロッドの旋回にともなって移動して光ファイバフェルールを挿入孔に固定するための複数の固定駒と、台座のそれぞれの設置部に設置され、挿入孔に対する光ファイバフェルールの固定を解除するようにそれら固定駒を付勢するための複数の付勢手段とを有することにある。
【０００９】
本発明の光ファイバフェルール研磨用治具の一例としては、光ファイバフェルール研磨用治具が、台座の上方に位置して平凸状に成形された所定厚さの隆起部を有し、隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有する。
【００１０】
本発明の光ファイバフェルール研磨用治具の他の一例としては、隆起部が、旋回開口を囲繞する旋回部分を有する。
【００１１】
本発明の光ファイバフェルール研磨用治具の他の一例としては、光ファイバフェルール研磨用治具が、旋回ロッドに挿通されて旋回ロッドの軸方向へスライドするスライドロックと、隆起部の起立支持部分に形成されて旋回ロッドが起立したときにスライドロックの下端部が進入するロック孔とを有する。
【００１２】
本発明の光ファイバフェルール研磨用治具の他の一例としては、光ファイバフェルール研磨用治具が、旋回ロッドに挿通されて旋回ロッドの上端部とスライドロックとの間に延びていて、スライドロックを旋回ロッドの下端に向かって付勢するコイルバネを有する。
【００１３】
本発明の光ファイバフェルール研磨用治具の他の一例としては、設置部が、台座の上面から下方へ凹む設置凹部であり、固定駒が、台座の挿入孔に対向する前部と、旋回ロッドの下端に対向する頂部と、台座の設置凹部に当接する底部と、底部から後方へ延びていて台座の設置凹部に形成された軸孔に配置された移動軸とを有し、旋回ロッドが、その下端に形成されて固定駒に向かって凸となり、固定駒の頂部を押圧する押圧凸部を有する。
【００１４】
本発明の光ファイバフェルール研磨用治具の他の一例としては、固定駒の頂部が、前部から後方へ向かうにつれて下り勾配に傾斜する傾斜面を有する。
【００１５】
本発明の光ファイバフェルール研磨用治具の他の一例としては、固定駒の前部が、後方へ凹む嵌入部分を有する。
【００１６】
本発明の光ファイバフェルール研磨用治具の他の一例としては、付勢手段が、上下方向へ延びるコイルバネであり、コイルバネが、固定駒の底部に形成されて上下方向へ延びるバネ設置孔に収容されている。
【００１７】
本発明の光ファイバフェルール研磨用治具の他の一例としては、隆起部が、環状に延びていて円環を形成し、台座の複数の挿入孔と台座の複数の設置凹部と複数の旋回ロッドと複数の固定駒とが、隆起部に沿って環状に並んでいる。
【００１８】
本発明の光ファイバフェルール研磨用治具の他の一例としては、設置部が、台座の上下面を貫通する設置孔部であり、固定駒が、台座の挿入孔に対向する前部と、旋回ロッドの下端に対向する頂部と、台座の設置孔部の下方に位置する底部と、台座の設置孔部の両側面に対向する両側部と、両側部から横方向へ延びていて台座の設置孔部に形成された軸孔に配置された回転軸とを有し、旋回ロッドが、その下端に形成されて固定駒に向かって凸となり、固定駒の頂部を押圧する押圧凸部を有する。
【００１９】
本発明の光ファイバフェルール研磨用治具の他の一例としては、付勢手段が、固定駒を上方へ付勢する板バネであり、板バネが、台座の上面および隆起部の下面の間に位置するベース部と、ベース部につながって互いに隣接する設置孔部の間に延びる台座の上面に位置するバネ部とを有し、固定駒の前部が、後方へ凹む嵌入部分と、嵌入部分につながって底部に向かって湾曲する湾曲面または嵌入部分につながって底部に向かうにつれて下り勾配に傾斜する傾斜面とを有し、固定駒の頂部が、前部から後方へ向かうにつれて下り勾配に傾斜する傾斜面を有し、固定駒の両側部が、互いに隣接する設置孔部の間に延びる台座の上面であって板バネのバネ部に当接する当接部分を有する。
【００２０】
本発明の光ファイバフェルール研磨用治具の他の一例としては、隆起部が、環状に延びていて円環を形成し、台座の複数の挿入孔と台座の複数の設置孔部と複数の旋回ロッドと複数の固定駒とが、隆起部に沿って環状に並び、板バネのベース部が、隆起部に沿って環状に延びていて円環を形成し、板バネのバネ部が隆起部に沿って環状に並んでいる。
【００２１】
前記課題を解決するための本発明の第２の前提は、複数の光ファイバフェルールの研磨に使用される光ファイバフェルール研磨用治具の台座に設置される載置部材である。
【００２２】
前記第２の前提における本発明の載置部材の特徴は、載置部材が、平凸状に成形された所定厚さの隆起部と、上下端部および中間部を有して下端部を中心として隆起部に旋回可能に設置された複数の旋回ロッドと、旋回ロッドに挿通されて旋回ロッドの軸方向へスライドするスライドロックとから形成され、隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有し、載置部材は、隆起部の起立支持部分に形成されて旋回ロッドが起立したときにスライドロックの下端部が進入するロック孔を有することにある。
【００２３】
本発明の載置部材の一例としては、隆起部が、旋回開口を囲繞する旋回部分を有する。
【００２４】
本発明の載置部材の他の一例としては、載置部材が、旋回ロッドに挿通されて旋回ロッドの上端部とスライドロックとの間に延びていて、スライドロックを旋回ロッドの下端に向かって付勢するコイルバネを有する。
【００２５】
本発明の載置部材の他の一例として、載置部材では、隆起部が環状に延びていて円環を形成し、旋回ロッドが隆起部において環状に並んでいる。
【発明の効果】
【００２６】
本発明にかかる光ファイバフェルール研磨用治具によれば、旋回ロッドの旋回にともなって移動した固定駒が光ファイバフェルールを挿入孔に固定するから、旋回ロッドを旋回させる操作のみによって光ファイバフェルールを挿入孔に固定することができ、レンチやドライバー等の締め付け工具によってボルトをねじ込む従来技術と比較し、挿入孔に対する光ファイバフェルールの固定に手間と時間とを要せず、光ファイバフェルールを挿入孔に簡単かつ容易に固定することができる。光ファイバフェルール研磨用治具は、旋回ロッドの旋回させることで、付勢手段の付勢力によって固定駒が光ファイバフェルールの固定を解除するように移動し、固定駒による光ファイバフェルールの固定が解除されるから、旋回ロッドを旋回させる操作のみによって固定駒による光ファイバフェルールの挿入孔における固定を解除することができ、レンチやドライバー等の締め付け工具によってボルトを緩める従来技術と比較し、挿入孔に対する光ファイバフェルールの固定解除に手間と時間とを要せず、光ファイバフェルールの固定を簡単かつ容易に解除することができる。光ファイバフェルール研磨用治具は、付勢手段の付勢力によって固定駒の移動状態が維持されるとともに、挿入孔の開放状態が維持されるから、それら挿入孔に各光ファイバフェルールを円滑に挿入することができ、それら挿入孔から各光ファイバフェルールを円滑に引き抜くことができる。光ファイバフェルール研磨用治具は、それら固定駒によってそれら光ファイバフェルールが各挿入孔に固定され、各光ファイバフェルールの各挿入孔に対する固定条件を同一にすることができ、各光ファイバフェルールに均等に研磨加工を施すことができる。
【００２７】
台座の上方に位置して平凸状に成形された所定厚さの隆起部を有し、隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有する光ファイバフェルール研磨用治具は、台座の隆起部の起立支持部分によって旋回ロッドが起立状態に支持されるから、旋回ロッドの起立状態において光ファイバフェルールが挿入孔に固定される場合、固定駒による光ファイバフェルールの挿入孔における固定を維持することができる。光ファイバフェルール研磨用治具は、台座の隆起部の傾斜支持部分によって旋回ロッドが傾斜状態に支持されるから、旋回ロッドの傾斜状態において光ファイバフェルールの挿入孔における固定が解除される場合、挿入孔における固定駒の固定解除状態および挿入孔の開放状態が維持され、挿入孔に光ファイバフェルールを円滑に挿入することができ、挿入孔から各光ファイバフェルールを円滑に引き抜くことができる。
【００２８】
隆起部が旋回開口を囲繞する旋回部分を有する光ファイバフェルール研磨用治具は、スライドロックの下端部が旋回部分に乗り上げた状態で旋回ロッドが旋回することで、旋回ロッドを旋回部分に沿って正確に旋回させることができ、光ファイバフェルールを挿入孔に円滑に固定することができるとともに、挿入孔に対する光ファイバフェルールの固定を円滑に解除することができる。
【００２９】
旋回ロッドに挿通されて旋回ロッドの軸方向へスライドするスライドロックと、隆起部の起立支持部分に形成されて旋回ロッドが起立したときにスライドロックの下端部が進入するロック孔とを有する光ファイバフェルール研磨用治具は、スライドロックによって旋回ロッドの起立状態が維持されるから、旋回ロッドが起立状態から傾斜状態に旋回することはなく、旋回ロッドの起立状態において光ファイバフェルールが挿入孔に固定される場合、挿入孔に対する光ファイバフェルールの固定が不用意に解除されることはなく、固定駒による光ファイバフェルールの挿入孔における固定を確実に維持することができる。
【００３０】
旋回ロッドに挿通されて旋回ロッドの上端部とスライドロックとの間に延びていて、スライドロックを旋回ロッドの下端に向かって付勢するコイルバネを有する光ファイバフェルール研磨用治具は、コイルバネの付勢力によってスライドロックの下端部のロック孔に対する進入状態が維持されるとともに、スライドロックによって旋回ロッドの起立状態が維持されるから、旋回ロッドが起立状態から傾斜状態に旋回することはなく、旋回ロッドの起立状態において光ファイバフェルールが挿入孔に固定される場合、挿入孔に対する光ファイバフェルールの固定が不用意に解除されることはなく、固定駒による光ファイバフェルールの挿入孔における固定を確実に維持することができる。
【００３１】
設置部が台座の上面から下方へ凹む設置凹部であり、固定駒が、台座の挿入孔に対向する前部と、旋回ロッドの下端に対向する頂部と、台座の設置凹部に当接する底部と、底部から後方へ延びていて台座の設置凹部に形成された軸孔に配置された移動軸とを有し、旋回ロッドが、その下端に形成されて固定駒に向かって凸となり、固定駒の頂部を押圧する押圧凸部を有する光ファイバフェルール研磨用治具は、旋回ロッドの旋回時に、設置凹部に設置された固定駒の頂部に当接する旋回ロッドの押圧凸部が固定駒を押圧しつつ付勢手段の付勢力に抗して固定駒を移動させるから、旋回ロッドの旋回によって移動軸を中心に固定駒を確実に移動させることができ、固定駒を利用して光ファイバフェルールを挿入孔に確実に固定することができる。
【００３２】
固定駒の頂部が前部から後方へ向かうにつれて下り勾配に傾斜する傾斜面を有する光ファイバフェルール研磨用治具は、旋回ロッドの旋回時に、旋回ロッドの押圧凸部が設置凹部に設置された固定駒の傾斜面を摺動下に押圧することで、付勢手段の付勢力に抗して固定駒を移動させることができるから、旋回ロッドの押圧凸部によって移動軸を中心に固定駒を確実に移動させることができ、固定駒を利用して光ファイバフェルールを挿入孔に確実に固定することができる。
【００３３】
固定駒の前部が後方へ凹む嵌入部分を有する光ファイバフェルール研磨用治具は、旋回ロッドが旋回したときに、光ファイバフェルールが固定駒の前部に形成された嵌入部分に嵌入することで、固定駒の嵌入部分によって光ファイバフェルールを挿入孔に遊動不能に固定することができる。光ファイバフェルール研磨用治具は、固定駒の嵌入部分によってそれら光ファイバフェルールがそれら挿入孔に遊動不能に固定されるから、各光ファイバフェルールの各挿入孔に対する固定条件を同一にすることができ、各光ファイバフェルールに均等に研磨加工を施すことができる。
【００３４】
付勢手段が上下方向へ延びるコイルバネであり、コイルバネが固定駒の底部に形成されて上下方向へ延びるバネ設置孔に収容されている光ファイバフェルール研磨用治具は、旋回ロッドの旋回させることで、コイルバネの付勢力によって固定駒が光ファイバフェルールの固定を解除するように移動するから、コイルバネによって移動軸を中心に固定駒を確実に移動させることができ、コイルバネを利用することで固定駒による光ファイバフェルールの挿入孔における固定を確実に解除することができる。光ファイバフェルール研磨用治具は、コイルバネの付勢力によって固定駒の移動状態が維持されるとともに、挿入孔の開放状態が維持されるから、それら挿入孔に各光ファイバフェルールを円滑に挿入することができ、それら挿入孔から各光ファイバフェルールを円滑に引き抜くことができる。
【００３５】
隆起部が環状に延びていて円環を形成し、台座の複数の挿入孔と台座の複数の設置凹部と複数の旋回ロッドと複数の固定駒とが隆起部に沿って環状に並んでいる光ファイバフェルール研磨用治具は、環状に並ぶそれら旋回ロッドの旋回にともなって移動した環状に並ぶそれら固定駒が各光ファイバフェルールを各挿入孔に固定するから、それら旋回ロッドを旋回させる操作のみによって各光ファイバフェルールを各挿入孔に固定することができ、環状に並ぶ各挿入孔に対するそれら光ファイバフェルールの固定に手間と時間とを要せず、それら光ファイバフェルールを各挿入孔に簡単かつ容易に固定することができる。光ファイバフェルール研磨用治具は、それら旋回ロッドを旋回させることで、付勢手段の付勢力によって環状に並ぶそれら固定駒が各光ファイバフェルールの固定を解除するように移動し、それら固定駒による各光ファイバフェルールの固定が解除されるから、それら旋回ロッドを旋回させる操作のみによってそれら固定駒による各光ファイバフェルールの挿入孔における固定を解除することができ、環状に並ぶ各挿入孔に対するそれら光ファイバフェルールの固定解除に手間と時間とを要せず、それら光ファイバフェルールの固定を簡単かつ容易に解除することができる。
【００３６】
設置部が台座の上下面を貫通する設置孔部であり、固定駒が、台座の挿入孔に対向する前部と、旋回ロッドの下端に対向する頂部と、台座の設置孔部の下方に位置する底部と、台座の設置孔部の両側面に対向する両側部と、両側部から横方向へ延びていて台座の設置孔部に形成された軸孔に配置された回転軸とを有し、旋回ロッドが、その下端に形成されて固定駒に向かって凸となり、固定駒の頂部を押圧する押圧凸部を有する光ファイバフェルール研磨用治具は、旋回ロッドの旋回時に、設置孔部に設置された固定駒の頂部に当接する旋回ロッドの押圧凸部が固定駒を押圧しつつ付勢手段の付勢力に抗して固定駒を移動させるから、旋回ロッドの旋回によって回転軸を中心に固定駒を確実に移動させることができ、固定駒を利用して光ファイバフェルールを挿入孔に確実に固定することができる。
【００３７】
付勢手段が固定駒を上方へ付勢する板バネであり、板バネが、台座の上面および隆起部の下面の間に位置するベース部と、ベース部につながって互いに隣接する設置孔部の間に延びる台座の上面に位置するバネ部とを有し、固定駒の前部が、後方へ凹む嵌入部分と、嵌入部分につながって底部に向かって湾曲する湾曲面または嵌入部分につながって底部に向かうにつれて下り勾配に傾斜する傾斜面とを有し、固定駒の頂部が、前部から後方へ向かうにつれて下り勾配に傾斜する傾斜面を有し、固定駒の両側部が、互いに隣接する設置孔部の間に延びる台座の上面であって板バネのバネ部に当接する当接部分を有する光ファイバフェルール研磨用治具は、旋回ロッドの旋回させることで、板バネのバネ部の付勢力によって固定駒が光ファイバフェルールの固定を解除するように旋回（移動）するから、コイルバネによって回転軸を中心に固定駒を確実に旋回（移動）させることができ、コイルバネを利用することで固定駒による光ファイバフェルールの挿入孔における固定を確実に解除することができる。光ファイバフェルール研磨用治具は、コイルバネの付勢力によって固定駒の旋回（移動）状態が維持されるとともに、挿入孔の開放状態が維持されるから、それら挿入孔に各光ファイバフェルールを円滑に挿入することができ、それら挿入孔から各光ファイバフェルールを円滑に引き抜くことができる。光ファイバフェルール研磨用治具は、固定駒の前部が後方へ凹む嵌入部分を有し、旋回ロッドが旋回したときに、光ファイバフェルールが固定駒の前部に形成された嵌入部分に嵌入することで、固定駒の嵌入部分によって光ファイバフェルールを挿入孔に遊動不能に固定することができる。光ファイバフェルール研磨用治具は、固定駒の嵌入部分によってそれら光ファイバフェルールがそれら挿入孔に遊動不能に固定されるから、各光ファイバフェルールの各挿入孔に対する固定条件を同一にすることができ、各光ファイバフェルールに均等に研磨加工を施すことができる。光ファイバフェルール研磨用治具は、固定駒の前部が嵌入部分につながって底部に向かって湾曲する湾曲面または嵌入部分につながって底部に向かうにつれて下り勾配に傾斜する傾斜面とを有し、固定駒の頂部が前部から後方へ向かうにつれて下り勾配に傾斜する傾斜面を有するから、旋回ロッドの旋回時に、旋回ロッドの押圧凸部が設置凹部に設置された固定駒の傾斜面を摺動下に押圧することで、付勢手段の付勢力に抗して固定駒を旋回（移動）させることができ、旋回ロッドの押圧凸部によって回転軸を中心に固定駒を確実に旋回（移動）させることができるとともに、固定駒を利用して光ファイバフェルールを挿入孔に確実に固定することができる。
【００３８】
隆起部が環状に延びていて円環を形成し、台座の複数の挿入孔と台座の複数の設置孔部と複数の旋回ロッドと複数の固定駒とが隆起部に沿って環状に並び、板バネのベース部が隆起部に沿って環状に延びていて円環を形成し、板バネのバネ部が隆起部に沿って環状に並んでいるフェルール研磨用治具は、環状に並ぶそれら旋回ロッドの旋回にともなって旋回した環状に並ぶそれら固定駒が各光ファイバフェルールを各挿入孔に固定するから、それら旋回ロッドを旋回させる操作のみによって各光ファイバフェルールを各挿入孔に固定することができ、環状に並ぶ各挿入孔に対するそれら光ファイバフェルールの固定に手間と時間とを要せず、それら光ファイバフェルールを各挿入孔に簡単かつ容易に固定することができる。光ファイバフェルール研磨用治具は、それら旋回ロッドを旋回させることで、板バネのバネ部の付勢力によって環状に並ぶそれら固定駒が各光ファイバフェルールの固定を解除するように移動し、それら固定駒による各光ファイバフェルールの固定が解除されるから、それら旋回ロッドを旋回させる操作のみによってそれら固定駒による各光ファイバフェルールの挿入孔における固定を解除することができ、環状に並ぶ各挿入孔に対するそれら光ファイバフェルールの固定解除に手間と時間とを要せず、それら光ファイバフェルールの固定を簡単かつ容易に解除することができる。光ファイバフェルール研磨用治具は、旋回ロッドの旋回させることで、板バネの環状に並ぶバネ部の付勢力によって環状に並ぶ固定駒が光ファイバフェルールの固定を解除するように移動するから、板バネのそれらバネ部によって回転軸を中心にそれら固定駒を確実に旋回（移動）させることができ、板バネのそれらバネ部を利用することでそれら固定駒による光ファイバフェルールの挿入孔における固定を確実に解除することができる。光ファイバフェルール研磨用治具は、板バネのそれらバネ部の付勢力によって固定駒の移動状態が維持されるとともに、環状に並ぶ挿入孔の開放状態が維持されるから、それら挿入孔に各光ファイバフェルールを円滑に挿入することができ、それら挿入孔から各光ファイバフェルールを円滑に引き抜くことができる。
【００３９】
本発明にかかる載置部材によれば、隆起部に旋回可能に設置されたそれら旋回ロッドを光ファイバフェルール研磨用治具の台座における光ファイバフェルールの固定に利用することで、旋回ロッドの隆起部における旋回のみによって光ファイバフェルールを台座に固定することができるとともに、旋回ロッドの隆起部における旋回のみによって光ファイバフェルールの台座における固定を解除することができ、手間と時間とを要せずに旋回ロッドの旋回操作のみによって光ファイバフェルールの台座における固定と固定解除とを実現することができる。
【００４０】
載置部材は、隆起部が、旋回ロッドの中間部を支持して旋回ロッドを起立状態に支持する起立支持部分と、起立支持部分につながる旋回開口と、旋回開口につながって旋回ロッドを傾斜状態に支持する傾斜支持部分とを有し、たとえば旋回ロッドの起立状態において光ファイバフェルールが光ファイバフェルール研磨用治具の台座に固定される場合、台座の隆起部の起立支持部分によって旋回ロッドが起立状態に支持されるから、光ファイバフェルールの台座における固定を維持することができる。載置部材は、たとえば旋回ロッドの傾斜状態において光ファイバフェルールの台座における固定が解除される場合、台座の隆起部の傾斜支持部分によって旋回ロッドが傾斜状態に支持されるから、光ファイバフェルールの台座における固定解除状態を維持することができる。
【００４１】
載置部材は、旋回ロッドに挿通されて旋回ロッドの軸方向へスライドするスライドロックと、隆起部の起立支持部分に形成されて旋回ロッドが起立したときにスライドロックの下端部が進入するロック孔とを有し、たとえば旋回ロッドの起立状態において光ファイバフェルールが光ファイバフェルール研磨用治具の台座に固定される場合、スライドロックによって旋回ロッドの起立状態が維持されるから、光ファイバフェルールの台座における固定を維持することができる。
【００４２】
隆起部が旋回開口を囲繞する旋回部分を有する載置部材は、スライドロックの下端部が旋回部分に乗り上げた状態で旋回ロッドが旋回することで、旋回ロッドを旋回部分に沿って正確に旋回させることができ、光ファイバフェルールを台座に円滑に固定することができるとともに、台座に対する光ファイバフェルールの固定を円滑に解除することができる。
【００４３】
旋回ロッドに挿通されて旋回ロッドの上端部とスライドロックとの間に延びていて、スライドロックを旋回ロッドの下端に向かって付勢するコイルバネを有する載置部材は、たとえば旋回ロッドの起立状態において光ファイバフェルールが光ファイバフェルール研磨用治具の台座に固定される場合、コイルバネの付勢力によってスライドロックの下端部のロック孔に対する進入状態が維持されるとともに、スライドロックによって旋回ロッドの起立状態が維持されるから、光ファイバフェルールの台座における固定を確実に維持することができる。
【００４４】
隆起部が環状に延びていて円環を形成し、旋回ロッドが隆起部において環状に並んでいる載置部材は、隆起部において環状に並ぶそれら旋回ロッドを光ファイバフェルール研磨用治具の台座における光ファイバフェルールの固定に利用することで、環状に並ぶ旋回ロッドの隆起部における旋回のみによって複数の光ファイバフェルールを台座に固定することができるとともに、それら旋回ロッドの隆起部における旋回のみによって複数の光ファイバフェルールの台座における固定を解除することができ、手間と時間とを要せずにそれら旋回ロッドの旋回操作のみによって複数の光ファイバフェルールの台座における固定と固定解除とを実現することができる。
【図面の簡単な説明】
【００４５】
【図１】一例として示す光ファイバフェルール研磨用治具の上面図。
【図２】台座の隆起部を部分的に示す部分拡大斜視図。
【図３】一例として示す固定駒の斜視図。
【図４】旋回ロッドが傾斜状態に旋回したときの光ファイバフェルール研磨用治具の部分拡大正面図。
【図５】図４のＡ−Ａ線矢視断面図。
【図６】光ファイバフェルールを台座の挿入孔に挿入する以前の状態で示す図５と同一の断面図。
【図７】旋回ロッドを旋回途中の状態で示す図５と同一の断面図。
【図８】旋回ロッドが起立状態に旋回したときの光ファイバフェルール研磨用治具の部分拡大正面図。
【図９】図８のＢ−Ｂ線矢視断面図。
【図１０】他の一例として示す台座の上面図。
【図１１】他の一例として示す固定駒の斜視図。
【図１２】他の一例として示す光ファイバフェルール研磨用治具の図５と同様の断面図。
【図１３】光ファイバフェルールを台座の挿入孔に挿入する以前の状態で示す図１２と同一の断面図。
【図１４】旋回ロッドを旋回途中の状態で示す図７と同様の断面図。
【図１５】旋回ロッドが起立状態に旋回したときの図９と同様の断面図。
【発明を実施するための形態】
【００４６】
一例として示す光ファイバフェルール研磨用治具１０Ａの上面図である図１等の添付の図面を参照し、本発明にかかる光ファイバフェルール研磨用治具の詳細を説明すると、以下のとおりである。なお、図２は、隆起部１８を部分的に示す部分拡大斜視図であり、図３は、一例として示す固定駒１４ａの斜視図である。図４は、旋回ロッド１３が傾斜状態に旋回したときの光ファイバフェルール研磨用治具１０Ａの部分拡大正面図であり、図５は、図４のＡ−Ａ線矢視断面図である。図６は、光ファイバフェルール５１を台座１２ａの挿入孔２０に挿入する以前の状態で示す図５と同一の断面図である。図１および図４，５では、径方向内方（第１の方向）を矢印Ｌ１、径方向外方（第１の方向とは反対の第２の方向）を矢印Ｌ２、周り方向を矢印Ｍで示し、上下方向を矢印Ｎで示す。
【００４７】
光ファイバフェルール研磨用治具１０Ａは、フェルール研磨機（図示せず）に設置され、光ファイバフェルール研磨機によるそれら光ファイバフェルール１１の研磨に使用される。光ファイバフェルール研磨用治具１０Ａは、所定面積および所定の厚さを有する台座１２ａと、所定の厚さを有して台座１２ａの上方へ凸となる平凸状の隆起部１８と、台座１２ａに旋回可能に設置された複数の旋回ロッド１３と、台座１２ａに移動可能（旋回可能）に設置された複数の固定駒１４ａと、台座１２ａに設置されて上下方向へ延びる複数のコイルバネ１５ａ（付勢手段）と、それら旋回ロッド１３に挿通された複数のスライドロック１６と、それら旋回ロッド１３に挿通されてロッド１３の軸方向へ延びる複数のコイルバネ１７とから形成されている。
【００４８】
台座１２ａ（プレート）は、アルミや合金等の金属から作られ、四角形の平板状に成形されている。台座１２ａは、光ファイバフェルール研磨機に着脱可能に設置される。台座１２ａには、下方へ凹む複数の設置凹部１９ａ（設置部）と、台座１２ａの上下面を上下方向へ貫通する複数の挿入孔２０とが形成されている。
【００４９】
隆起部１８は、アルミや合金等の金属または合成樹脂から作られ、台座１２ａの上方に位置し、環状に延びていて円環（リング）を形成している。隆起部１８は、図２に示すように、環状に並ぶ上方開口２１および環状に並ぶ起立支持部分２２と、環状に並ぶ側方開口２３および環状に並ぶ傾斜支持部分２４と、環状に並ぶ旋回開口２５および環状に並ぶ旋回部分２６とを有する。隆起部１８の起立支持部分２２の下方には、一対の円筒状の軸孔２７が穿孔されている。軸孔２７には、旋回ロッド１３の後記する一対の軸３８が回転可能に設置される。
【００５０】
隆起部１８のそれら上方開口２１は、円形に成形され、隆起部１８の上方へ向かって開口している。上方開口２１には、起立した旋回ロッド１３が位置する。それら起立支持部分２２は、上方開口２１を囲繞し、旋回ロッド１３の後記する中間部３５を支持してロッド１３を起立状態に支持する。それら起立支持部分２２には、下方へ向かって凹むロック孔２８が形成されている。ロック孔２８は、その径が上方開口２１のそれよりもわずかに大きい。ロック孔２８には、旋回ロッド１３が起立したときにスライドロック１６の後記する下端部５０が進入する。
【００５１】
隆起部１８のそれら側方開口２３は、円形に成形され、隆起部１８の側方（径方向外方（第２の方向））へ向かって開口している。側方開口２３には、傾斜した旋回ロッド１３が位置する。それら傾斜支持部分２４は、側方開口２３を囲繞し、旋回ロッド１３を傾斜状態に支持する。それら旋回開口２５は、上方開口２１と側方開口２３とにつながり、上方開口２１から側方開口２３に向かって弧を画くように傾斜している。旋回開口２５では、旋回ロッド１３が径方向内方（第１の方向）と径方向外方（第２の方向）とへ旋回する。それら旋回部分２６は、旋回開口２５を囲繞し、起立支持部分２２と傾斜支持部分２４とにつながり、起立支持部分２２から傾斜支持部分２４に向かって弧を画くように傾斜している。
【００５２】
それら設置凹部１９ａ（それら設置部）は、台座１２ａの挿入孔２０と旋回ロッド１３との間に形成され、隆起部１８の起立支持部分２２の径方向内方（第１の方向）に隣接し、隆起部１８の直近に位置している。それら設置凹部１９ａは、隆起部１８に沿って環状に並んでいる。設置凹部１９ａは、旋回ロッド１３の略直下に位置して上下方向へ延びる後壁２９と、後壁２９の両側に位置して上下方向へ延びる両側壁３０（両側面）と、径方向へ延びる底壁３１とを有する。
【００５３】
設置凹部１９ａの後壁２９には、径方向内方（第１の方向）へ延びる軸係止凸部３２と、底壁２９と軸係止凸部３２との間において径方向外方（第２の方向）へ延びる軸孔３３とが形成されている。それら設置凹部１９ａには、固定駒１４ａが移動（旋回）可能に設置されている。
【００５４】
それら挿入孔２０は、設置凹部１９ａの径方向内方（第１の方向）に隣接し、設置凹部１９ａの直近に位置している。それら挿入孔２０は、隆起部１８に沿って環状に並んでいる。それら挿入孔２０には、光ファイバフェルール５１が挿抜可能に挿入される。なお、それら設置凹部１９ａが台座１２ａの挿入孔２０と旋回ロッド１３との間であって隆起部１８の起立支持部分２２の径方向外方（第２の方向）に隣接し、それら挿入孔２０が設置凹部１９ａの径方向外方（第２の方向）に隣接していてもよい。
【００５５】
それら旋回ロッド１３は、アルミや合金等の金属または合成樹脂から作られ、上下方向へ長い円柱状に成形されている。それら旋回ロッド１３は、隆起部１８に沿って環状に並んでいる。旋回ロッド１３は、上端部３４および下端部３６と、上下端部３４，３６の間に位置する中間部３５とを有する。それら旋回ロッド１３は、台座１２ａの設置凹部１９ａの径方向外方（第２の方向）に隣接し、設置凹部１９ａや挿入孔２０の直近に位置して隆起部１８の上方開口２１、旋回開口２５、側方開口２３に旋回可能に挿通されている。旋回ロッド１３の上端部３４には、ロッド１３を旋回させるときに摘持するつまみ３７が取り付けられている。
【００５６】
それら旋回ロッド１３の下端部３６には、周り方向（横方向）へ延びる一対の円柱状の軸３８が形成されている。それら旋回ロッド１３の断面円形の下端３９には、固定駒１４ａに向かって凸となる押圧凸部４０が形成されているとともに、押圧凸部４０を除く残余面４１が画成されている。それら軸３８は、隆起部１８の起立支持部分２２の下方に穿孔された軸孔２７に回転可能に挿入されている。
【００５７】
それら旋回ロッド１３は、下端部３６（軸３８）を中心として傾斜状態から起立するように隆起部１８の旋回開口２５を径方向内方（第１の方向）へ旋回可能であり、下端部３６（軸３８）を中心として起立状態から傾斜するように隆起部１８の旋回開口２５を径方向外方（第２の方向）へ旋回可能である。旋回ロッド１３の押圧凸部４０は、固定駒１４ａの後記する頂部４３（傾斜面４７）に当接し、ロッド１３の径方向内方（第１の方向）への旋回にともなって固定駒１４ａを径方向内方（第１の方向）へ押圧する。
【００５８】
それら固定駒１４ａは、台座１２ａのそれら設置凹部１９ａに移動（旋回）可能に設置（収容）されている。それら固定駒１４ａは、隆起部１８に沿って環状に並んでいる。固定駒１４ａは、図３に示すように、台座１２ａの挿入孔２０に対向する前部４２と、旋回ロッド１３の下端３９に対向する頂部４３と、台座１２ａの設置凹部１９ａの底壁３１に対向する底部４４と、底部４４から径方向外方（第２の方向）へ延びる移動軸４５（旋回プレート）とを有する。移動軸４５は、台座１２ａの設置凹部１９ａに形成された軸孔３３に挿通（配置）されている。
【００５９】
それら固定駒１４ａの前部４２には、径方向外方（第２の方向）（後方）へ向かって凹む嵌入部分４６（凹部分）が形成されている。嵌入部分４６には、光ファイバフェルール５１の頂部５２が嵌入する。それら固定駒１４ａの頂部４３は、前部４２から径方向外方（第２の方向）（後方）へ向かうにつれて下方へ向かって下り勾配に傾斜する傾斜面４７を有する。傾斜面４７には、旋回ロッド１３の押圧凸部４０が当接する。
【００６０】
それら固定駒１４ａの底部４４の中央には、上下方向へ延びるバネ設置孔４８が穿孔（形成）されている。それら固定駒１４ａは、旋回ロッド１３の径方向内方（第１の方向）への旋回にともなって設置凹部１９ａにおいて移動軸４５を中心に径方向内方（第１の方向）へ移動し、光ファイバフェルール５１を挿入孔２０に固定する。それら固定駒１４ａは、旋回ロッド１３の径方向外方（第２の方向）への旋回にともなって設置凹部１９ａにおいて移動軸４５を中心に径方向外方（第２の方向）へ移動し、挿入孔２０に対する光ファイバフェルール５１の固定を解除する。
【００６１】
それらコイルバネ１５ａは、台座１２ａの各設置凹部１９ａに設置され、固定駒１４ａの底部４４に形成されたバネ設置孔４８に圧縮下に収容されている。コイルバネ１５ａは、挿入孔２０に対する光ファイバフェルール５１の固定を解除するように各固定駒１４ａを上方であって径方向外方（第２の方向）へ付勢し、その付勢力によって固定駒１４ａを径方向外方（第２の方向）へ移動（旋回）させる。なお、コイルバネ１５ａの他に、板バネを使用することもできる。板バネは、台座１２ａの設置凹部１９ａと固定駒１４ａの底部４４との間に設置され、その付勢力によって固定駒１４ａを径方向外方（第２の方向）へ付勢し、固定駒１４ａを径方向外方（第２の方向）へ移動させる。
【００６２】
それらスライドロック１６は、円筒状に成形され、旋回ロッド１３に挿通された状態でロッド１３の軸方向へスライドする。スライドロック１６は、それをスライドさせるときに摘持する円筒状のつまみ部４９と、つまみ部４９の直下に連なる円筒状の下端部５０とを有する。スライドロック１６の下端部５０は、その径がつまみ部４９のそれよりも小さく、起立支持部分２２のロック孔２８の径よりもわずかに小さいとともに、隆起部１８の上方開口２１、側方開口２３、旋回開口２５の径よりもわずかに大きい。
【００６３】
スライドロック１６のつまみ部４９は、隆起部１８の上方開口２１、側方開口２３、旋回開口２５の径よりも大きい。コイルバネ１６は、旋回ロッド１３の上端部３４（つまみ３７）とスライドロック１６のつまみ部４９とに間に位置してロッド１３の軸方向へ延びている。コイルバネ１６は、その付勢力によってスライドロック１６を旋回ロッド１３の下端３９（下方）に向かって付勢する。
【００６４】
旋回ロッド１３が径方向外方（第２の方向）へ旋回し、ロッド１３が傾斜した図４〜図６の状態では、ロッド１３の押圧凸部４０による押圧力が固定駒１４ａの頂部４３の傾斜面４７に作用しておらず、固定駒１４ａがコイルバネ１５ａの付勢力によって移動軸４５を中心に径方向外方（第２の方向）へ移動している。固定駒１４ａの前部４２および頂部４３が径方向外方（第２の方向）へ移動して前部４３および頂部４３が挿入孔２０から径方向外方（第２の方向）へ離間し、台座１２ａの挿入孔２０が開放されている。
【００６５】
旋回ロッド１３は、隆起部１８の側方開口２３に位置し、隆起部１８の傾斜支持部分２４によって傾斜状態に支持されている。スライドロック１６がコイルバネ１７の付勢力に抗して旋回ロッド１３の上端部３４（つまみ３７）に向かってスライドし、スライドロック１６の下端部５０が傾斜支持部分２４に乗り上げている。
【００６６】
傾斜支持部分２４によって旋回ロッド１３が傾斜状態に支持された場合（旋回ロッド１３が傾斜状態に旋回した場合）、ロッド１３の下端３９の残余面４１全域が固定駒１４ａの頂部４３の傾斜面４７全域に当接する。光ファイバフェルール研磨用治具１０Ａは、旋回ロッド１３が傾斜状態に旋回したときに、ロッド１３の下端３９のうちの押圧凸部４０を除く残余面４１全域が固定駒１４ａの傾斜面４７全域に当接するから、ロッド１３によって固定駒１４ａの径方向外方（第２の方向）へのそれ以上の移動を阻止することができ、固定駒１４ａの径方向外方（第２の方向）への移動範囲を規制することができる。
【００６７】
光ファイバフェルール研磨用治具１０Ａでは、図６に矢印Ｎ１で示すように、開放された挿入孔２０に向かって光ファイバフェルール５１を挿入し、図５に示すように、挿入孔２０に光ファイバフェルール５１を差し込む。光ファイバフェルール研磨用治具１０Ａは、スライドロック１６の下端部５０がコイルバネ１７の付勢力に抗して傾斜支持部分２４に乗り上げ、下端部５０がコイルバネ１７の付勢力によって傾斜支持部分２４に押し付けられ、隆起部１８の傾斜支持部分２４によって旋回ロッド１３が傾斜状態に支持されているから、旋回ロッド１３が径方向内方（第１の方向）へ不用意に移動（旋回）することはなく、挿入孔２０における固定駒１４ａの固定解除状態が維持されるとともに挿入孔２０の開放状態が維持され、挿入孔２０に光ファイバフェルール５１を円滑に挿入することができる。
【００６８】
光ファイバフェルール研磨用治具１０Ａ（後記する光ファイバフェルール研磨用治具１０Ｂを含む）では、環状に延びる円環状（リング状）の隆起部１８と隆起部１８に沿って環状に並ぶ複数の旋回ロッド１３とから載置部材５３が形成されている。載置部材５３は、台座１２ａの上面に着脱可能に設置される。載置部材５３を形成する隆起部１８は、既述のように、環状に並ぶ上方開口２１および環状に並ぶ起立支持部分２２と、環状に並ぶ側方開口２３および環状に並ぶ傾斜支持部分２４と、環状に並ぶ旋回開口２５および環状に並ぶ旋回部分２６とを有する。載置部材５３では、隆起部１８が環状に延びていて円環（リング）を形成しているが、隆起部１８が直状に延びた状態で複数の隆起部１８が一列に並んでいてもよい。
【００６９】
載置部材５３を形成するそれら旋回ロッド１３は、既述のように、上下端部３４，３６と中間部３５とを有し、隆起部１８の上方開口２１、旋回開口２５、側方開口２３に旋回可能に挿通されている。それら旋回ロッド１３は、その下端部３６に形成された軸３８が隆起部１８の起立支持部分２２の下方に穿孔された軸孔２７に回転可能に挿入され、下端部３６を中心に径方向内方（第１の方向）と径方向外方（第２の方向）とへ旋回可能である。それら旋回ロッド１３の断面円形の下端３９には、固定駒１４ａに向かって凸となる押圧凸部４０が形成されているとともに、押圧凸部４０を除く残余面４１が画成されている。
【００７０】
載置部材５３は、隆起部１８に旋回可能に設置されたそれら旋回ロッド１３が光ファイバフェルール研磨用治具１０Ａの台座１２ａにおける光ファイバフェルール５１の固定に利用されることで、旋回ロッド１３の隆起部１８における旋回のみによって光ファイバフェルール５１を台座１２ａの挿入孔２０に固定することができるとともに、旋回ロッド１３の隆起部１８における旋回のみによって光ファイバフェルール５１の台座１２ａの挿入孔２０における固定を解除することができ、手間と時間とを要せずに旋回ロッド１３の旋回操作のみによって光ファイバフェルール５１の台座１２ａの挿入孔２０における固定と固定解除とを実現することができる。
【００７１】
図７は、旋回ロッド１３を旋回途中の状態で示す断面図であり、図８は、旋回ロッド１３が起立状態に旋回したときの光ファイバフェルール研磨用治具１０Ａの部分拡大正面図である。図９は、図８のＢ−Ｂ線矢視断面図である。図７では、径方向内方（第１の方向）を矢印Ｌ１、径方向外方（第２の方向）を矢印Ｌ２で示し、図９では、径方向外方（第２の方向）を矢印Ｌ２で示す。
【００７２】
光ファイバフェルール研磨用治具１０Ａに光ファイバフェルール５１を固定する手順は、以下のとおりである。台座１２ａの開放状態にある挿入孔２０に光ファイバフェルール５１を挿入した後、旋回ロッド１３のつまみ３７を摘持し、図５の矢印Ｌ１で示すように、傾斜状態にある旋回ロッド１３を径方向内方（第１の方向）へ旋回させる。
【００７３】
旋回ロッド１３を径方向内方（第１の方向）へ旋回させると、図７に示すように、ロッド１３が下端部３６を中心に隆起部１８の側方開口２３から上方開口２１に向かって旋回し、ロッド１３の中間部３５が隆起部１８の旋回開口２５を移動する。スライドロック１６の下端部５０が隆起部１８の旋回部分２６に乗り上げた状態で下端部５０が旋回部分２６を摺動しつつ、旋回ロッド１３が隆起部１８の傾斜支持部分２４から起立支持部分２２に向かって移動する。
【００７４】
旋回ロッド１３を径方向内方（第１の方向）へ旋回させると、ロッド１３の下端３９に形成された押圧凸部４０が固定駒１４ａの頂部４３の傾斜面４７を押圧し、固定駒１４ａが移動軸４５を中心にコイルバネ１５ａ（付勢手段）の付勢力に抗して径方向内方（第１の方向）へ次第に移動し、固定駒１４ａの前部４２および頂部４３が径方向内方（第１の方向）へ移動して前部４２および頂部４３が挿入孔２０に次第に近づく。
【００７５】
光ファイバフェルール研磨用治具１０Ａは、旋回ロッド１３の傾斜状態から起立状態への旋回時にロッド１３の押圧凸部４０が固定駒１４ａの傾斜面４７を摺動下に押圧することで、コイルバネ１５ａの付勢力に抗して固定駒１４ａを径方向内方（第１の方向）へ円滑に移動させることができ、ロッド１３の押圧凸部４０によって移動軸４５を中心に固定駒１４ａを径方向内向（第１の方向）へ確実に移動させることができる。
【００７６】
図７の状態から旋回ロッド１３をさらに径方向内方（第１の方向）へ旋回させると、ロッド１３が隆起部１８の上方開口２１に向かって旋回部分２６を移動し、図８，９に示すように、旋回部分２６から起立支持部分２２に移動して傾斜状態から起立状態に旋回する。旋回ロッド１３の傾斜状態から起立状態への旋回にともなって固定駒１４ａが径方向内方（第１の方向）へさらに移動し、固定駒１４ａの前部４２が挿入孔２０に移動する。
【００７７】
旋回ロッド１３が起立状態に旋回すると、ロッド１３が隆起部１８の上方開口２１に位置するとともに、ロッド１３の中間部３５が隆起部１８の起立支持部分２２に当接し、径方向内方（第１の方向）へのロッド１３のそれ以上の旋回が阻止される。旋回ロッド１３が隆起部１８の起立支持部分２２に移動すると、コイルバネ１７の付勢力によってスライドロック１６がロッド１３の下方へ移動し、スライドロック１６の下端部５０がロック孔２８に進入する。
【００７８】
スライドロック１６の下端部５０がロック孔２８に進入することで、旋回ロッド１３が開口支持部分２２に旋回不能に固定されてロッド１３の起立状態が維持される。さらに、コイルバネ１７の付勢力によってスライドロック１６が旋回ロッド１３の下方へ押圧され、スライドロック１６の下端部５０のロック孔２８への進入状態が維持される。
【００７９】
旋回ロッド１３が隆起部１８において起立し、固定駒１４ａの前部４２が挿入孔２０に移動すると、図９に示すように、固定駒１４ａの底部４４全体が設置凹部１９ａの底壁３１に当接するとともに、光ファイバフェルール５１の頂部５２が固定駒１４ａの前部４２の嵌入部分４６に嵌入する。光ファイバフェルール５１の頂部５２が嵌入部分４６に嵌入することで、光ファイバフェルール５１が台座１２ａの挿入孔２０に遊動不能であって挿入孔２０から脱出不能に固定される。
【００８０】
光ファイバフェルール研磨用治具１０Ａは、スライドロック１６の下端部５０のロック孔２８に対する進入状態がコイルバネ１７の付勢力によって維持されるとともに、旋回ロッド１３の起立状態が維持されるから、ロッド１３が径方向外方（第２の方向）へ不用意に旋回することはなく、挿入孔２０に対する光ファイバフェルール５１の固定が不用意に解除されることはなく、固定駒１４ａによる光ファイバフェルール５１の挿入孔２０における固定を維持することができる。
【００８１】
光ファイバフェルール研磨用治具１０Ａは、旋回ロッド１３が起立状態に旋回したときに、光ファイバフェルール５１の頂部５２が固定駒１４ａの前部４２に形成された嵌入部分４６に嵌入することで、固定駒１４ａの嵌入部分４６によって光ファイバフェルール５１を挿入孔２０に遊動不能かつ挿入孔２０から脱出不能に固定することができる。
【００８２】
挿入孔２０から光ファイバフェルール５１を抜き取る手順は、以下のとおりである。起立状態にある旋回ロッド１３に挿通されたスライドロック１６のつまみ部４９を摘持し、コイルバネ１７の付勢力に抗してスライドロック１６をロッド１３の上端部３４に向かって移動させ、スライドロック１６の下端部５０をロック孔２８から引き出す。次に、つまみ部４９を摘持しつつ旋回ロッド１３のつまみ３７を摘持し、図９に矢印Ｌ２で示すように、起立状態にある旋回ロッド１３を径方向外方（第２の方向）へ旋回させる。
【００８３】
旋回ロッド１３を径方向外方（第２の方向）へ旋回させると、ロッド１３が下端部３６を中心に隆起部１８の上方開口２１から側方開口２３に向かって旋回し、ロッド１３の上端部３４および中間部３５が隆起部１８の旋回開口２５を移動する。スライドロック１６の下端部５０が隆起部１８の旋回部分２６に乗り上げた状態で下端部５０が旋回部分２６を摺動しつつ、旋回ロッド１３が隆起部１８の起立支持部分２２から傾斜支持部分２４に向かって移動する。
【００８４】
旋回ロッド１３を径方向外方（第２の方向）へ旋回させると、ロッド１３の下端３９に形成された押圧凸部４０が固定駒１４ａの頂部４３の傾斜面４７を上方へ移動し、固定駒１４ａが移動軸４５を中心にコイルバネ１５ａ（付勢手段）の付勢力によって径方向外方（第２の方向）へ次第に移動し、固定駒１４ａの前部４２および頂部４３が径方向外方（第２の方向）へ移動して前部４２および頂部４３が挿入孔２０から次第に離間する（図７参照）。
【００８５】
旋回ロッド１３をさらに径方向外方（第２の方向）へ旋回させると、ロッド１３が隆起部１８の側方開口２３に向かって旋回部分２６を移動し、旋回部分２６から傾斜支持部分２４に移動して起立状態から傾斜状態へ旋回する。旋回ロッド１３の起立状態から傾斜状態への旋回にともなって固定駒１４ａが径方向外方（第２の方向）へさらに移動し、固定駒１４ａの前部４２が挿入孔２０から離間する。
【００８６】
旋回ロッド１３が傾斜状態に旋回すると、ロッド１３が隆起部１８の側方開口２３に位置するとともに、ロッド１３の中間部３５が隆起部１８の傾斜支持部分２４に当接し、径方向外方（第２の方向）へのロッド１３のそれ以上の旋回が阻止される。旋回ロッド１３が隆起部１８の傾斜支持部分２４に移動すると、固定駒１４ａの底部４４が設置凹部１９ａの底壁３１から上方へ離間するとともに、固定駒１４ａの前部４２の嵌入部分４６が光ファイバフェルール５１の頂部５２から径方向外方（第２の方向）へ離間し、台座１２ａの挿入孔２０に対する光ファイバフェルール５１の固定が解除される（図５参照）。
【００８７】
挿入孔２０に対する光ファイバフェルール５１の固定を解除した後、挿入孔から光ファイバフェルール５１を引き抜く。光ファイバフェルール研磨用治具１０Ａは、コイルバネ１５ａの付勢力によって固定駒１４ａの移動状態が維持されるとともに、挿入孔２０の開放状態が維持されるから、それら挿入孔２０に各光ファイバフェルール５１を円滑に挿入することができ、それら挿入孔２０から各光ファイバフェルール５１を円滑に引き抜くことができる。
【００８８】
光ファイバフェルール研磨用治具１０Ａは、旋回ロッド１３の傾斜状態から起立状態への旋回（径方向内方（第１の方向）への旋回）にともなって固定駒１４ａがコイルバネ１５ａ（付勢手段）の付勢力に抗して径方向内方（第１の方向）へ移動し、光ファイバフェルール５１の頂部５２が固定駒１４ａの前部４２に形成された嵌入部分４６に嵌入することで、固定駒１４ａの嵌入部分４６によって光ファイバフェルール５１が挿入孔２０に遊動不能かつ挿入孔２０から脱出不能に固定されるから、ロッド１３を径方向内方（第１の方向）へ旋回させる操作のみによって光ファイバフェルール５１を挿入孔２０に固定することができ、挿入孔２０に対する光ファイバフェルール５１の固定に手間と時間とを要せず、光ファイバフェルール５１を挿入孔２０に簡単かつ容易に固定することができる。
【００８９】
光ファイバフェルール研磨用治具１０Ａは、旋回ロッド１３の起立状態から傾斜状態への旋回（径方向外方（第２の方向）への旋回）にともなって固定駒１４ａがコイルバネ１５ａ（付勢手段）の付勢力によって径方向外方（第２の方向）へ移動して固定駒１４ａの嵌入部分４６が光ファイバフェルール５１の頂部５２から離れ、固定駒１４ａによる光ファイバフェルール５１の固定が解除されるから、ロッド１３を径方向外方（第２の方向）へ旋回させる操作のみによって固定駒１４ａによる光ファイバフェルール５１の挿入孔２０における固定を解除することができ、挿入孔２０に対する光ファイバフェルール５１の固定解除に手間と時間とを要せず、光ファイバフェルール５１の固定を簡単かつ容易に解除することができる。
【００９０】
光ファイバフェルール研磨用治具１０Ａは、それら固定駒１４ａの嵌入部分４６によってそれら光ファイバフェルール５１が各挿入孔２０に遊動不能かつ挿入孔２０から脱出不能に固定されるから、各光ファイバフェルール５１の各挿入孔２０に対する固定条件を同一にすることができ、各光ファイバフェルール５１に均等に研磨加工を施すことができる。
【００９１】
図１０は、他の一例として示す台座１２Ｂの上面図であり、図１１は、他の一例として示す固定駒１４ｂの斜視図である。図１２は、他の一例として示す光ファイバフェルール研磨用治具１０Ｂの図５と同様の断面図であり、図１３は、光ファイバフェルール５１を台座１２ｂの挿入孔２０に挿入する以前の状態で示す図１２と同一の断面図である。図１０では、台座１２ｂの上面に板バネ１５ｂを配置した状態で示すとともに、台座１２ｂのそれら設置孔部１９ｂのうちの６カ所の設置孔部１９ｂに固定駒１４ｂを配置した状態で示す。図１０，１２では、径方向内方（第１の方向）を矢印Ｌ１、径方向外方（第１の方向とは反対の第２の方向）を矢印Ｌ２、周り方向を矢印Ｍで示し、上下方向を矢印Ｎで示す。なお、光ファイバフェルール研磨用治具１０Ｂの上面図は、図１と同一に表れる。
【００９２】
光ファイバフェルール研磨用治具１０Ｂは、光ファイバフェルール研磨用治具１０Ａと同様に、フェルール研磨機（図示せず）に設置され、光ファイバフェルール研磨機による光ファイバフェルール１１の研磨に使用される。光ファイバフェルール研磨用治具１０Ｂは、所定面積および所定の厚さを有する台座１２ｂと、所定の厚さを有して台座１２ｂの上方へ凸となる平凸状の隆起部１８と、台座１２ｂに旋回可能に設置された複数の旋回ロッド１３と、台座１２ｂに旋回可能（移動可能）に設置された複数の固定駒１４ｂと、それら台座１２ｂに設置された板バネ１５ｂ（付勢手段）と、それら旋回ロッド１３に挿通された複数のスライドロック１６と、それら旋回ロッド１３に挿通されてロッド１３の軸方向へ延びる複数のコイルバネ１７とから形成されている。
【００９３】
台座１２ｂ（プレート）は、アルミや合金等の金属から作られ、円形の平板状（円盤状）に成形されている。台座１２ｂは、光ファイバフェルール研磨機に着脱可能に設置される。台座１２ｂには、台座１２ｂの上下面を上下方向へ貫通する複数の設置孔部１９ｂ（設置部）と、台座１２ｂの上下面を上下方向へ貫通する複数の挿入孔２０とが形成されている。
【００９４】
隆起部１８は、光ファイバフェルール研磨用治具１０Ａのそれと同一であり、台座１２ｂの上方に位置し、環状に延びていて円環（リング）を形成している。隆起部１８の各構成は、光ファイバフェルール研磨用治具１０Ａのそれらと同一であるから、光ファイバフェルール研磨用治具１０Ａの隆起部１８の説明を援用するとともに、光ファイバフェルール研磨用治具１０Ａと同一の符号を付すことで、隆起部１８の構成の説明は省略する。
【００９５】
それら設置孔部１９ｂ（それら設置部）は、台座１２ｂの挿入孔２０と旋回ロッド１３との間に形成され、隆起部１８の起立支持部分２２の径方向内方（第１の方向）に隣接し、隆起部１８の直近に位置している。それら設置孔部１９ｂは、隆起部１８に沿って環状に並んでいる。それら設置孔部１９ｂには、固定駒１４ｂが旋回（移動）可能に設置されている。
【００９６】
それら設置孔部１９ｂは、旋回ロッド１３の略直下に位置して上下方向へ延びる後壁５４と、後壁５４の両側に位置して上下方向へ延びる両側壁５５（両側面）と、後壁５４の側に位置する両側壁５５に形成された一対の軸孔５６とを有する。軸孔５６は、台座１２ｂの上下面を上下方向へ貫通する貫通孔であり、両側壁５５から周り方向（水平方向）へ延びている。
【００９７】
それら挿入孔２０は、設置孔部１９ｂの径方向内方（第１の方向）に隣接し、設置孔部１９ｂの直近に位置するとともに、隆起部１８に沿って環状に並んでいる。それら旋回ロッド１３は、隆起部１８に沿って環状に並んでいる。それら挿入孔２０の各構成やそれら旋回ロッド１３の各構成は、光ファイバフェルール研磨用治具１０Ａのそれらと同一であるから、光ファイバフェルール研磨用治具１０Ａの挿入孔２０や旋回ロッド１３の説明を援用するとともに、光ファイバフェルール研磨用治具１０Ａと同一の符号を付すことで、挿入孔２０や旋回ロッド１３の構成の説明は省略する。
【００９８】
それら固定駒１４ｂは、台座１２ｂのそれら設置孔部１９ｂに旋回（移動）可能に設置（収容）され、隆起部１８に沿って環状に並んでいる。固定駒１４ｂは、図１１に示すように、台座１２ｂの挿入孔２０に対向する前部５７と、台座１２ｂの設置孔部１９ｂの後壁５４に対向する後部５８と、旋回ロッド１３の下端３９に対向する頂部５９と、台座１２ｂの設置孔部１９ｂの下方に位置する底部６０と、台座１２ｂの設置孔部１９ｂの両側壁３０（両側面）に対向する両側部６１と、後部５８の側に位置する両側部６１から周り方向（横方向）へ延びる一対の回転軸６２（旋回軸）とを有する。それら回転軸６２は、台座１２ｂの設置孔部１９ｂに形成された軸孔５６に配置されている。
【００９９】
それら固定駒１４ｂの前部５７には、径方向外方（第２の方向）（後方）へ向かって凹む嵌入部分６３（凹部分）が形成され、嵌入部分６３につながって底部６０に向かって湾曲する湾曲面６４が形成されている。なお、湾曲面６４の他に、嵌入部分６３につながって底部６０に向かうにつれて下り勾配に傾斜（後部５８に向かって傾斜）する傾斜面が固定駒１４ｂの前部５７に形成されていてもよい。嵌入部分６３には、光ファイバフェルール５１の頂部５２が嵌入する。
【０１００】
それら固定駒１４ｂの頂部５９は、前部５７から径方向外方（第２の方向）（後方）へ向かうにつれて下方へ向かって下り勾配に傾斜する傾斜面６５を有する。傾斜面６５には、旋回ロッド１３の押圧凸部４０が当接する。それら固定駒１４ｂの頂部５９の側に位置する両側部６１には、両側部６１から周り方向（横方向）へ延びる（張り出す）一対の当接部分６６が形成されている。
【０１０１】
それら固定駒１４ｂは、旋回ロッド１３の径方向内方（第１の方向）への旋回にともなって設置孔部１９ｂにおいて回転軸６２を中心に径方向内方（第１の方向）へ旋回（移動）し、光ファイバフェルール５１を挿入孔２０に固定する。それら固定駒１４ｂは、旋回ロッド１３の径方向外方（第２の方向）への旋回にともなって設置孔部１９ｂにおいて回転軸６２を中心に径方向外方（第２の方向）へ旋回し、挿入孔２０に対する光ファイバフェルール５１の固定を解除する。
【０１０２】
板バネ１５ｂは、台座１２ｂの各設置孔部１９ｂの径方向外方近傍（第２の方向近傍）に配置されている。板バネ１５ｂは、ベース部６７と、ベース部６７につながる複数のバネ部６８とから形成されている。ベース部６７は、各設置孔部１９ｂの径方向外方近傍に延びる台座１２ｂの上面に位置し、隆起部１８に沿って環状に延びていて円環（リング）を形成している。ベース部６７は、台座１２ｂの上面と隆起部１８の傾斜支持部分２４の下面との間に介在し、台座１２ｂと隆起部１８の傾斜支持部分２４とに挟まれた状態で台座１２ｂの上面に固定されている。
【０１０３】
それらバネ部６８は、互いに隣接する各設置孔部１９ｂの間に延びる台座１２ｂの上面に位置し、隆起部１８に沿って環状に並んでいる。
光ファイバフェルール研磨用治具１０Ｂでは、それら固定駒１４ｂが各設置孔部１９ｂに設置（収容）されたときに、互いに隣接する設置孔部１９ｂの間に延びる台座１２ｂの上面と固定駒１４ｂの両側部６１の当接部分６６との間にそれらバネ部６８が介在し、固定駒１４ｂの両側部６１の当接部分６６が板バネ１５ｂのバネ部６８に当接する。それらバネ部６８は、挿入孔２０に対する光ファイバフェルール５１の固定を解除するように各固定駒１４ｂを上方であって径方向外方（第２の方向）へ付勢し、その付勢力によって固定駒１４ｂを径方向外方（第２の方向）へ旋回（移動）させる。
【０１０４】
スライドロック１６は、旋回ロッド１３に挿通された状態でロッド１３の軸方向へスライドする。コイルバネ１６は、その付勢力によってスライドロック１６を旋回ロッド１３の下端３９（下方）に向かって付勢する。スライドロック１６やコイルバネ１６の各構成は、光ファイバフェルール研磨用治具１０Ａのそれらと同一であるから、光ファイバフェルール研磨用治具１０Ａのスライドロック１６やコイルバネ１６の説明を援用するとともに、光ファイバフェルール研磨用治具１０Ａと同一の符号を付すことで、スライドロック１６やコイルバネ１６の構成の説明は省略する。
【０１０５】
旋回ロッド１３が径方向外方（第２の方向）へ旋回し、ロッド１３が傾斜した図１２，１３の状態では、ロッド１３の押圧凸部４０による押圧力が固定駒１４ｂの頂部５９の傾斜面６５に作用しておらず、固定駒１４ｂが板バネ１５ｂのバネ部６８の付勢力によって回転軸６２を中心に径方向外方（第２の方向）へ旋回（移動）している。固定駒１４ｂの前部５７および頂部５９が径方向外方（第２の方向）へ旋回して前部５７および頂部５９が挿入孔２０から径方向外方（第２の方向）へ離間し、台座１２ｂの挿入孔２０が開放されている。
【０１０６】
旋回ロッド１３は、隆起部１８の側方開口２３に位置し、隆起部１８の傾斜支持部分２４によって傾斜状態に支持されている。スライドロック１６がコイルバネ１７の付勢力に抗して旋回ロッド１３の上端部３４（つまみ３７）に向かってスライドし、スライドロック１６の下端部５０が傾斜支持部分２４に乗り上げている。光ファイバフェルール研磨用治具１０Ｂは、旋回ロッド１３が傾斜状態に旋回したときに、ロッド１３の下端３９のうちの押圧凸部４０が固定駒１４ｂの頂部５９に当接し、押圧凸部４０を除く残余面４１が固定駒１４ｂの傾斜面６５に当接するから、ロッド１３によって固定駒１４ｂの径方向外方（第２の方向）へのそれ以上の旋回（移動）を阻止することができ、固定駒１４ｂの径方向外方（第２の方向）への旋回範囲を規制することができる。
【０１０７】
光ファイバフェルール研磨用治具１０Ｂでは、図１３に矢印Ｎ１で示すように、開放された挿入孔２０に向かって光ファイバフェルール５１を挿入し、図１２に示すように、挿入孔２０に光ファイバフェルール５１を差し込む。光ファイバフェルール研磨用治具１０Ｂは、スライドロック１６の下端部５０がコイルバネ１７の付勢力に抗して傾斜支持部分２４に乗り上げ、下端部５０がコイルバネ１７の付勢力によって傾斜支持部分２４に押し付けられ、隆起部１８の傾斜支持部分２４によって旋回ロッド１３が傾斜状態に支持されているから、旋回ロッド１３が径方向内方（第１の方向）へ不用意に旋回（移動）することはなく、挿入孔２０における固定駒１４ｂの固定解除状態が維持されるとともに挿入孔２０の開放状態が維持され、挿入孔２０に光ファイバフェルール５１を円滑に挿入することができる。
【０１０８】
図１４は、旋回ロッド１３を旋回途中の状態で示す図７と同様の断面図であり、図１５は、旋回ロッド１３が起立状態に旋回したときの図９と同様の断面図である。図１４では、径方向内方（第１の方向）を矢印Ｌ１、径方向外方（第２の方向）を矢印Ｌ２で示し、図１５では、径方向外方（第２の方向）を矢印Ｌ２で示す。
【０１０９】
光ファイバフェルール研磨用治具１０Ｂに光ファイバフェルール５１を固定する手順は、以下のとおりである。台座１２ｂの開放状態にある挿入孔２０に光ファイバフェルール５１を挿入した後、旋回ロッド１３のつまみ３７を摘持し、図１２の矢印Ｌ１で示すように、傾斜状態にある旋回ロッド１３を径方向内方（第１の方向）へ旋回させる。
【０１１０】
旋回ロッド１３を径方向内方（第１の方向）へ旋回させると、図１４に示すように、ロッド１３が下端部３６を中心に隆起部１８の側方開口２３から上方開口２１に向かって旋回し、ロッド１３の中間部３５が隆起部１８の旋回開口２５を移動する。スライドロック１６の下端部５０が隆起部１８の旋回部分２６に乗り上げた状態で下端部５０が旋回部分２６を摺動しつつ、旋回ロッド１３が隆起部１８の傾斜支持部分２４から起立支持部分２２に向かって移動する。
【０１１１】
旋回ロッド１３を径方向内方（第１の方向）へ旋回させると、ロッド１３の下端３９に形成された押圧凸部４０が固定駒１４ｂの頂部５９の傾斜面６５を押圧し、固定駒１４ｂが回転軸６２を中心に板バネ１５ｂのバネ部６８（付勢手段）の付勢力に抗して径方向内方（第１の方向）へ次第に旋回（移動）し、固定駒１４ｂの前部５７および頂部５９が径方向内方（第１の方向）へ旋回して前部５７および頂部５９が挿入孔２０に次第に近づく。
【０１１２】
光ファイバフェルール研磨用治具１０Ｂは、旋回ロッド１３の傾斜状態から起立状態への旋回時にロッド１３の押圧凸部４０が固定駒１４ｂの傾斜面６５を摺動下に押圧することで、板バネ１５ｂのバネ部６８の付勢力に抗して固定駒１４ｂを径方向内方（第１の方向）へ円滑に旋回（移動）させることができ、ロッド１３の押圧凸部４０によって回転軸６２を中心に固定駒１４ｂを径方向内向（第１の方向）へ確実に旋回させることができる。
【０１１３】
図１４の状態から旋回ロッド１３をさらに径方向内方（第１の方向）へ旋回させると、ロッド１３が隆起部１８の上方開口２１に向かって旋回部分２６を移動し、図１５に示すように、旋回部分２６から起立支持部分２２に移動して傾斜状態から起立状態に旋回する。旋回ロッド１３の傾斜状態から起立状態への旋回にともなって固定駒１４ｂが径方向内方（第１の方向）へさらに旋回（移動）し、固定駒１４ｂの前部５７が挿入孔２０に移動する。
【０１１４】
旋回ロッド１３が起立状態に旋回すると、ロッド１３が隆起部１８の上方開口２１に位置するとともに、ロッド１３の中間部３５が隆起部１８の起立支持部分２２に当接し、径方向内方（第１の方向）へのロッド１３のそれ以上の旋回が阻止される。旋回ロッド１３を起立させた状態におけるスライドロック１６の動きは光ファイバフェルール研磨用治具１０Ａのそれと同一であり、スライドロック１６によってロッド１３の起立状態が維持される。
【０１１５】
旋回ロッド１３が隆起部１８において起立し、固定駒１４ｂの前部５７が挿入孔２０に移動すると、図１５に示すように、固定駒１４ｂの底部６０が設置孔部１９ａの下方に位置するとともに、光ファイバフェルール５１の頂部５２が固定駒１４ｂの前部５７の嵌入部分６３に嵌入する。光ファイバフェルール５１の頂部５２が嵌入部分６３に嵌入することで、光ファイバフェルール５１が台座１２ｂの挿入孔２０に遊動不能であって挿入孔２０から脱出不能に固定される。
【０１１６】
光ファイバフェルール研磨用治具１０Ｂは、スライドロック１６の下端部５０のロック孔２８に対する進入状態がコイルバネ１７の付勢力によって維持されるとともに、旋回ロッド１３の起立状態が維持されるから、ロッド１３が径方向外方（第２の方向）へ不用意に旋回することはなく、挿入孔２０に対する光ファイバフェルール５１の固定が不用意に解除されることはなく、固定駒１４ｂによる光ファイバフェルール５１の挿入孔２０における固定を維持することができる。
【０１１７】
光ファイバフェルール研磨用治具１０Ｂは、旋回ロッド１３が起立状態に旋回したときに、光ファイバフェルール５１の頂部５２が固定駒１４ｂの前部５７に形成された嵌入部分６３に嵌入することで、固定駒１４ｂの嵌入部分６３によって光ファイバフェルール５１を挿入孔２０に遊動不能であって挿入孔２０から脱出不能に固定することができる。
【０１１８】
挿入孔２０から光ファイバフェルール５１を抜き取る手順は、以下のとおりである。起立状態にある旋回ロッド１３に挿通されたスライドロック１６のつまみ部４９を摘持し、コイルバネ１７の付勢力に抗してスライドロック１６をロッド１３の上端部３４に向かって移動させ、スライドロック１６の下端部５０をロック孔２８から引き出す。次に、つまみ部４９を摘持しつつ旋回ロッド１３のつまみ３７を摘持し、図１５に矢印Ｌ２で示すように、起立状態にある旋回ロッド１３を径方向外方（第２の方向）へ旋回させる。
【０１１９】
旋回ロッド１３を径方向外方（第２の方向）へ旋回させた場合のロッド１３の動きは光ファイバフェルール研磨用治具１０Ａのそれと同一である。旋回ロッド１３を径方向外方（第２の方向）へ旋回させると、ロッド１３の下端３９に形成された押圧凸部４０が固定駒１４ｂの頂部５９の傾斜面６５を上方へ移動し、固定駒１４ｂが回転軸６２を中心に板バネ１５ｂのバネ部６８（付勢手段）の付勢力によって径方向外方（第２の方向）へ次第に旋回（移動）し、固定駒１４ｂの前部５７および頂部５９が径方向外方（第２の方向）へ旋回して前部５７および頂部５９が挿入孔２０から次第に離間する（図１４参照）。
【０１２０】
旋回ロッド１３をさらに径方向外方（第２の方向）へ旋回させると、ロッド１３が隆起部１８の側方開口２３に向かって旋回部分２６を移動し、旋回部分２６から傾斜支持部分２４に移動して起立状態から傾斜状態へ旋回する。旋回ロッド１３の起立状態から傾斜状態への旋回にともなって固定駒１４ｂが径方向外方（第２の方向）へさらに旋回し、固定駒１４ｂの前部５７が挿入孔２０から離間する。
【０１２１】
旋回ロッド１３が傾斜状態に旋回すると、ロッド１３が隆起部１８の側方開口２３に位置するとともに、ロッド１３の中間部３５が隆起部１８の傾斜支持部分２４に当接し、径方向外方（第２の方向）へのロッド１３のそれ以上の旋回が阻止される。旋回ロッド１３が隆起部１８の傾斜支持部分２４に移動すると、固定駒１４ｂの底部６０が設置孔部１９ｂの下方から上方へ離間するとともに、固定駒１４ｂの前部５７の嵌入部分６３が光ファイバフェルール５１の頂部５２から径方向外方（第２の方向）へ離間し、台座１２ｂの挿入孔２０に対する光ファイバフェルール５１の固定が解除される（図１２参照）。
【０１２２】
挿入孔２０に対する光ファイバフェルール５１の固定を解除した後、挿入孔から光ファイバフェルール５１を引き抜く。光ファイバフェルール研磨用治具１０Ｂは、板バネ１５ｂのバネ部６８の付勢力によって固定駒１４ｂの旋回（移動）状態が維持されるとともに、挿入孔２０の開放状態が維持されるから、それら挿入孔２０に各光ファイバフェルール５１を円滑に挿入することができ、それら挿入孔２０から各光ファイバフェルール５１を円滑に引き抜くことができる。
【０１２３】
光ファイバフェルール研磨用治具１０Ｂは、旋回ロッド１３の傾斜状態から起立状態への旋回（径方向内方（第１の方向）への旋回）にともなって固定駒１４ｂが板バネ１５ｂのバネ部６８（付勢手段）の付勢力に抗して径方向内方（第１の方向）へ旋回し、光ファイバフェルール５１の頂部５２が固定駒１４ｂの前部５７に形成された嵌入部分６３に嵌入することで、固定駒１４ｂの嵌入部分６３によって光ファイバフェルール５１が挿入孔２０に遊動不能かつ挿入孔２０から脱出不能に固定されるから、ロッド１３を径方向内方（第１の方向）へ旋回させる操作のみによって光ファイバフェルール５１を挿入孔２０に固定することができ、挿入孔２０に対する光ファイバフェルール５１の固定に手間と時間とを要せず、光ファイバフェルール５１を挿入孔２０に簡単かつ容易に固定することができる。
【０１２４】
光ファイバフェルール研磨用治具１０Ｂは、旋回ロッド１３の起立状態から傾斜状態への旋回（径方向外方（第２の方向）への旋回）にともなって固定駒１４ｂが板バネ１５ｂのバネ部６８（付勢手段）の付勢力によって径方向外方（第２の方向）へ旋回して固定駒１４ｂの嵌入部分６３が光ファイバフェルール５１の頂部５２から離れ、固定駒１４ｂによる光ファイバフェルール５１の固定が解除されるから、ロッド１３を径方向外方（第２の方向）へ旋回させる操作のみによって固定駒１４ｂによる光ファイバフェルール５１の挿入孔２０における固定を解除することができ、挿入孔２０に対する光ファイバフェルール５１の固定解除に手間と時間とを要せず、光ファイバフェルール５１の固定を簡単かつ容易に解除することができる。
【０１２５】
光ファイバフェルール研磨用治具１０Ｂは、それら固定駒１４ｂの嵌入部分６３によってそれら光ファイバフェルール５１が各挿入孔２０に遊動不能かつ挿入孔２０から脱出不能に固定されるから、各光ファイバフェルール５１の各挿入孔２０に対する固定条件を同一にすることができ、各光ファイバフェルール５１に均等に研磨加工を施すことができる。
【符号の説明】
【０１２６】
１０Ａ  光ファイバフェルール研磨用治具
１０Ｂ  光ファイバフェルール研磨用治具
１１    光ファイバ
１２ａ  台座
１２ｂ  台座
１３    旋回ロッド
１４ａ  固定駒
１４ｂ  固定駒
１５ａ  コイルバネ（付勢手段）
１５ｂ  板バネ（付勢手段）
１６    スライドロック
１７    コイルバネ
１８    隆起部
１９ａ  設置凹部（設置部）
１９ｂ  設置孔部（設置部）
２０    挿入孔
２１    上方開口
２２    起立支持部分
２３    側方開口
２４    傾斜支持部分
２５    旋回開口
２６    旋回部分
２７    軸孔
２８    ロック孔
２９    後壁
３０    両側壁（両側面）
３１    底壁
３２    軸係止凸部
３３    軸孔
３４    上端部
３５    中間部
３６    下端部
３７    つまみ
３８    軸
３９    下端
４０    押圧凸部
４１    残余面
４２    前部
４３    頂部
４４    底部
４５    移動軸
４６    嵌入部分
４７    傾斜面
４８    バネ設置孔
４９    つまみ部
５０    下端部
５１    光ファイバフェルール
５２    頂部
５３    載置部材
５４    後壁
５５    両側壁（両側面）
５６    軸孔
５７    前部
５８    後部
５９    頂部
６０    底部
６１    両側部
６２    回転軸
６３    嵌入部分
６４    湾曲面
６５    傾斜面
６６    当接部分
６７    ベース部
６８    バネ部
【手続補正２】
【補正対象書類名】特許請求の範囲
【補正対象項目名】全文
【補正方法】変更
【補正の内容】
【特許請求の範囲】
【請求項１】
複数の光ファイバフェルールの研磨に使用される光ファイバフェルール研磨用治具において、
前記光ファイバフェルール研磨用治具が、所定面積の台座と、前記台座に形成されて前記複数の光ファイバフェルールを挿抜可能に挿入する複数の挿入孔と、上下端部および中間部を有して前記台座のそれぞれの挿入孔に隣接し、前記下端部を中心として旋回可能な複数の旋回ロッドと、前記台座のそれぞれの挿入孔とそれぞれの旋回ロッドとの間に形成された複数の設置部と、前記台座のそれぞれの設置部に設置され、それら旋回ロッドの旋回にともなって移動して前記光ファイバフェルールを前記挿入孔に固定するための複数の固定駒と、前記台座のそれぞれの設置部に設置され、前記挿入孔に対する前記光ファイバフェルールの固定を解除するようにそれら固定駒を付勢するための複数の付勢手段とを有することを特徴とする光ファイバフェルール研磨用治具。
【請求項２】
請求項１に記載の光ファイバフェルール研磨用治具において、
前記光ファイバフェルール研磨用治具が、前記台座の上方に位置して平凸状に成形された所定厚さの隆起部を有し、前記隆起部が、前記旋回ロッドの中間部を支持して該旋回ロッドを起立状態に支持する起立支持部分と、前記起立支持部分につながる旋回開口と、前記旋回開口につながって前記旋回ロッドを傾斜状態に支持する傾斜支持部分とを有することを特徴とする光ファイバフェルール研磨用治具。
【請求項３】
請求項２に記載の光ファイバフェルール研磨用治具において、
前記隆起部が、前記旋回開口を囲繞する旋回部分を有することを特徴とする光ファイバフェルール研磨用治具。
【請求項４】
請求項２または請求項３いずれか１項に記載の光ファイバフェルール研磨用治具において、
前記光ファイバフェルール研磨用治具が、前記旋回ロッドに挿通されて該旋回ロッドの軸方向へスライドするスライドロックと、前記隆起部の起立支持部分に形成されて前記旋回ロッドが起立したときに前記スライドロックの下端部が進入するロック孔とを有することを特徴とする光ファイバフェルール研磨用治具。
【請求項５】
請求項４に記載の光ファイバフェルール研磨用治具において、
前記光ファイバフェルール研磨用治具が、前記旋回ロッドに挿通されて該旋回ロッドの上端部と前記スライドロックとの間に延びていて、該スライドロックを該旋回ロッドの下端に向かって付勢するコイルバネを有することを特徴とする光ファイバフェルール研磨用治具。
【請求項６】
請求項２ないし請求項５いずれか１項に記載の光ファイバフェルール研磨用治具において、
前記設置部が、前記台座の上面から下方へ凹む設置凹部であり、前記固定駒が、前記台座の挿入孔に対向する前部と、前記旋回ロッドの下端に対向する頂部と、前記台座の設置凹部に当接する底部と、前記底部から後方へ延びていて前記台座の設置凹部に形成された軸孔に配置された移動軸とを有し、前記旋回ロッドが、その下端に形成されて前記固定駒に向かって凸となり、前記固定駒の頂部を押圧する押圧凸部を有することを特徴とする光ファイバフェルール研磨用治具。
【請求項７】
請求項６に記載の光ファイバフェルール研磨用治具において、
前記固定駒の頂部が、前記前部から後方へ向かうにつれて下り勾配に傾斜する傾斜面を有することを特徴とする光ファイバフェルール研磨用治具。
【請求項８】
請求項６または請求項７のいずれか１項に記載の光ファイバフェルール研磨用治具において、
前記固定駒の前部が、後方へ凹む嵌入部分を有することを特徴とする光ファイバフェルール研磨用治具。
【請求項９】
請求項６ないし請求項８のいずれか１項に記載の光ファイバフェルール研磨用治具において、
前記付勢手段が、上下方向へ延びるコイルバネであり、前記コイルバネが、前記固定駒の底部に形成されて上下方向へ延びるバネ設置孔に収容されていることを特徴とする光ファイバフェルール研磨用治具。
【請求項１０】
請求項６ないし請求項９いずれか１項に記載の光ファイバフェルール研磨用治具において、
前記隆起部が、環状に延びていて円環を形成し、前記台座の複数の挿入孔と該台座の複数の設置凹部と複数の前記旋回ロッドと複数の前記固定駒とが、前記隆起部に沿って環状に並んでいることを特徴とする光ファイバフェルール研磨用治具。
【請求項１１】
請求項２ないし請求項５いずれか１項に記載の光ファイバフェルール研磨用治具において、
前記設置部が、前記台座の上下面を貫通する設置孔部であり、前記固定駒が、前記台座の挿入孔に対向する前部と、前記旋回ロッドの下端に対向する頂部と、前記台座の設置孔部の下方に位置する底部と、前記台座の設置孔部の両側面に対向する両側部と、前記両側部から横方向へ延びていて前記台座の設置孔部に形成された軸孔に配置された回転軸とを有し、前記旋回ロッドが、その下端に形成されて前記固定駒に向かって凸となり、前記固定駒の頂部を押圧する押圧凸部を有することを特徴とする光ファイバフェルール研磨用治具。
【請求項１２】
請求項１１に記載の光ファイバフェルール研磨用治具において、
前記付勢手段が、前記固定駒を上方へ付勢する板バネであり、前記板バネが、前記台座の上面および前記隆起部の下面の間に位置するベース部と、前記ベース部につながって互いに隣接する前記設置孔部の間に延びる前記台座の上面に位置するバネ部とを有し、前記固定駒の前部が、後方へ凹む嵌入部分と、前記嵌入部分につながって前記底部に向かって湾曲する湾曲面または該嵌入部分につながって該底部に向かうにつれて下り勾配に傾斜する傾斜面とを有し、前記固定駒の頂部が、前記前部から後方へ向かうにつれて下り勾配に傾斜する傾斜面を有し、前記固定駒の両側部が、互いに隣接する前記設置孔部の間に延びる前記台座の上面であって前記板バネのバネ部に当接する当接部分を有することを特徴とする光ファイバフェルール研磨用治具。
【請求項１３】
請求項１２に記載の光ファイバフェルール研磨用治具において、
前記隆起部が、環状に延びていて円環を形成し、前記台座の複数の挿入孔と該台座の複数の設置孔部と複数の前記旋回ロッドと複数の前記固定駒とが、前記隆起部に沿って環状に並び、前記板バネのベース部が、前記隆起部に沿って環状に延びていて円環を形成し、前記板バネのバネ部が、前記隆起部に沿って環状に並んでいることを特徴とする光ファイバフェルール研磨用治具。
【請求項１４】
複数の光ファイバフェルールの研磨に使用される光ファイバフェルール研磨用治具の台座に設置される載置部材において、
前記載置部材が、平凸状に成形された所定厚さの隆起部と、上下端部および中間部を有して該下端部を中心として前記隆起部に旋回可能に設置された複数の旋回ロッドと、前記旋回ロッドに挿通されて該旋回ロッドの軸方向へスライドするスライドロックとから形成され、前記隆起部が、前記旋回ロッドの中間部を支持して該旋回ロッドを起立状態に支持する起立支持部分と、前記起立支持部分につながる旋回開口と、前記旋回開口につながって前記旋回ロッドを傾斜状態に支持する傾斜支持部分とを有し、前記載置部材は、前記隆起部の起立支持部分に形成されて前記旋回ロッドが起立したときに前記スライドロックの下端部が進入するロック孔を有することを特徴とする載置部材。
【請求項１５】
請求項１４に記載の載置部材において、
前記隆起部が、前記旋回開口を囲繞する旋回部分を有することを特徴とする載置部材。
【請求項１６】
請求項１４または請求項１５のいずれか１項に記載の載置部材において、
前記載置部材が、前記旋回ロッドに挿通されて該旋回ロッドの上端部と前記スライドロックとの間に延びていて、該スライドロックを該旋回ロッドの下端に向かって付勢するコイルバネを有することを特徴とする載置部材。
【請求項１７】
請求項１４ないし請求項１６いずれか１項に記載の載置部材において、
前記載置部材では、前記隆起部が環状に延びていて円環を形成し、前記旋回ロッドが前記隆起部において環状に並んでいることを特徴とする載置部材。